(57)【特許請求の範囲】
【請求項１】
無線通信システム内で電力を制御する方法において、
１又は複数のアップリンク通信を受信することと、
前記アップリンク通信が最適電力レベルで送信されたかどうか判定することと、ここで、最適電力レベルは、電力制御せずに維持されるべき電力レベルである、
前記アップリンク通信のうちの１又は複数が非最適電力レベルで送信された場合に、該非最適アップリンク通信を送信している１又は複数のＵＥにより使用される１又は複数の資源を判定することと、ここで、非最適電力レベルは、電力制御されるべき電力レベルである、
前記アップリンク通信のうちの１又は複数が非最適電力レベルで送信された場合に、１又は複数の電力制御メッセージを生成することと、ここで、電力を制御するための電力制御コマンドの位置は、前記非最適アップリンク通信を送信している１又は複数のＵＥにより使用される、前記判定された１又は複数の資源へそれぞれマッピングされる、
前記アップリンク通信のうちの１又は複数が非最適電力レベルで送信された場合に、前記非最適アップリンク通信を送信している１又は複数のＵＥへ前記生成された電力制御メッセージを送信することを含む方法。
【請求項２】
前記電力制御メッセージは、前記電力制御コマンドを伝えるビットマップを含む請求項１に記載の方法。
【請求項３】
前記電力制御コマンドは、前記ビットマップ内のビットであり、前記ビットマップ内の前記ビットの位置は、前記それぞれのＵＥにより使用される前記１又は複数の資源へマッピングされる請求項２に記載の方法。
【請求項４】
ＵＥの電力を制御するためのビットの数は、ＵＥによりそのアップリンク通信のために利用される資源の数に関連している請求項３に記載の方法。
【請求項５】
前記電力制御メッセージを送信することは、少なくとも一つの共通電力制御メッセージを複数のＵＥへ送信することを含む請求項１に記載の方法。
【請求項６】
前記電力制御メッセージを送信することは、電力制御ビットを含む個別の電力制御メッセージを、前記ＵＥのそれぞれへ送信することを含む請求項１に記載の方法。
【請求項７】
それぞれのＵＥにより利用される前記資源にインデックス付けすることを更に含む請求項１に記載の方法。
【請求項８】
前記電力制御メッセージは、前記電力制御コマンドに関連するビットに加えて前記インデックス付けされた資源に関連するビットを含む請求項７に記載の方法。
【請求項９】
前記ＵＥを、少なくともそれらの推定された無線状態に基づいてグループ分けすることを更に含む請求項７に記載の方法。
【請求項１０】
前記電力制御メッセージを送信することは、前記ＵＥグループの１又は複数に対してグループ電力制御コマンドを送信することを含む請求項９に記載の方法。
【請求項１１】
前記ＵＥの少なくとも一つは、異なる複数の周波数で複数のデータストリームを送信し、前記電力制御メッセージは、非最適電力レベルで送信されている前記データストリームにより利用される１又は複数の資源ブロックの電力を個別に調整する請求項１に記載の方法。
【請求項１２】
通信システム内で電力制御情報を伝達するための装置において、
前記装置は、
１又は複数のＵＥから１又は複数の通信を受信する受信機と、
前記通信のうちの１又は複数が非最適電力レベルで送信された場合に、非最適電力レベルで送信される前記通信のうちの少なくとも一つについて、少なくとも一つの電力制御メッセージを生成するプロセッサと、ここで、前記少なくとも一つの電力制御メッセージ内の少なくとも一つの電力制御コマンドの位置は、前記少なくとも一つの非最適通信により利用される１又は複数の資源にマッピングされ、また、ここで、非最適電力レベルは、電力制御されるべき電力レベルである、
前記通信のうちの１又は複数が非最適電力レベルで送信された場合に、前記非最適電力レベルで送信している前記１又は複数のＵＥに前記生成された少なくとも一つの電力制御メッセージを送信する送信機とを含み、
前記少なくとも一つの電力制御メッセージは、前記複数のＵＥに関連する複数の電力制御コマンドを含み、
前記電力制御メッセージ内の前記複数の電力制御コマンドの位置は、前記１又は複数の通信のために前記複数のＵＥにより利用される複数の資源にマッピングされる装置。
【請求項１３】
１又は複数の前記電力制御コマンド又は前記資源電力に関連する情報を記憶するメモリを更に含む請求項１２に記載の装置。
【請求項１４】
前記送信機は、複数の電力制御メッセージを、別々に前記複数のＵＥの各々へ送信し、
前記複数の電力制御メッセージは、個々の電力制御コマンドを、前記複数のＵＥの各々へ送信する請求項１２に記載の装置。
【請求項１５】
前記ＵＥのうちの少なくとも一つは、前記非最適通信を送信するために、複数の資源を利用する請求項１２に記載の装置。
【請求項１６】
前記少なくとも一つの電力制御メッセージは、複数の電力制御コマンドを含み、ここで、該電力制御コマンドの前記電力制御メッセージ内の位置は、前記少なくとも一つのＵＥにより利用される前記複数の資源にマッピングされる、請求項１５に記載の装置。
【請求項１７】
前記ＵＥのうちの少なくとも一つは、複数の周波数で複数の通信を送信し、
前記プロセッサは、少なくとも一つのＵＥから受信される前記複数の通信のうちの少なくとも一つのために、前記少なくとも一つの電力制御メッセージを生成する請求項１２に記載の装置。
【請求項１８】
前記少なくとも一つの電力制御メッセージは、前記資源に関連するインデクシング情報を含む請求項１２に記載の装置。
【請求項１９】
前記電力制御メッセージは、少なくともそれぞれの無線状態に基づいて集められる複数の前記１又は複数のＵＥのための電力制御コマンドを含む請求項１８に記載の装置。
【請求項２０】
コンピュータプログラムを記憶したコンピュータ読み取り可能な記憶媒体において、
前記コンピュータプログラムは、
少なくとも一つのコンピュータに、１又は複数のアップリンク通信を受信させるためのコードと、
少なくとも一つのコンピュータに、前記アップリンク通信が最適電力レベルで送信されたかどうか判定させるためのコードと、ここで、最適電力レベルは、電力制御せずに維持されるべき電力レベルである、
少なくとも一つのコンピュータに、前記アップリンク通信のうちの１又は複数が非最適電力レベルで送信された場合に、該非最適アップリンク通信のために１又は複数のＵＥにより使用される１又は複数の資源を判定させるためのコードと、ここで、非最適電力レベルは、電力制御されるべき電力レベルである、
少なくとも一つのコンピュータに、前記アップリンク通信のうちの１又は複数が非最適電力レベルで送信された場合に、１又は複数の電力制御メッセージを生成させるためのコードと、ここで、電力を制御するための電力制御コマンドの位置は、前記非最適電力レベルで送信しているそれぞれのＵＥにより使用される前記判定された１又は複数の資源へマッピングされる、
少なくとも一つのコンピュータに、前記アップリンク通信のうちの１又は複数が非最適電力レベルで送信された場合に、前記非最適電力レベルで送信している１又は複数のＵＥへ前記生成された電力制御メッセージを送信させるためのコードとを含むコンピュータ読み取り可能な記憶媒体。
【請求項２１】
前記コンピュータプログラムは、少なくとも一つのコンピュータに、前記電力制御コマンドを伝えるために前記電力制御メッセージ中にビットマップを含ませるためのコードを更に含む請求項２０に記載のコンピュータ読み取り可能な記憶媒体。
【請求項２２】
前記コンピュータプログラムは、少なくとも一つのコンピュータに、前記電力制御コマンドを、前記ビットマップ内のビットとして生成させるためのコードを更に含む請求項２１に記載のコンピュータ読み取り可能な記憶媒体。
【請求項２３】
前記コンピュータプログラムは、少なくとも一つのコンピュータに、前記ビットマップ内の前記ビットの位置を、前記それぞれのＵＥにより使用される前記１又は複数の資源へマッピングさせるためのコードを更に含む請求項２２に記載のコンピュータ読み取り可能な記憶媒体。
【請求項２４】
前記１又は複数のＵＥのうちの少なくとも一つの電力を制御するためのビットの数は、少なくとも一つのＵＥによりそのアップリンク通信のために利用される資源の数に関連している請求項２３に記載のコンピュータ読み取り可能な記憶媒体。
【請求項２５】
前記少なくとも一つのコンピュータに前記電力制御メッセージを送信させるためのコードは、前記コンピュータに、電力制御ビットを含む個別の電力制御メッセージを前記ＵＥの各々へ送信させる請求項２０に記載のコンピュータ読み取り可能な記憶媒体。
【請求項２６】
前記コンピュータプログラムは、少なくとも一つのコンピュータに、非最適電力レベルで送信されている複数のデータストリームにより使用される１又は複数の資源ブロックの電力を個別に調整するための前記電力制御メッセージを送信させるためのコードを更に含み、
前記ＵＥのうちの少なくとも一つは、異なる複数の周波数で前記複数の前記データストリームを送信する請求項２０に記載のコンピュータ読み取り可能な記憶媒体。
【請求項２７】
前記電力制御メッセージを送信するためのインストラクションは、共通電力制御メッセージを複数のＵＥへ送信するためのインストラクションを更に含む請求項２０に記載のコンピュータ読み取り可能な記憶媒体。
【請求項２８】
前記コンピュータプログラムは、少なくとも一つのコンピュータに、前記ＵＥにより使用される前記資源にインデックス付けさせるためのコードを更に含む請求項２０に記載のコンピュータ読み取り可能な記憶媒体。
【請求項２９】
前記コンピュータプログラムは、少なくとも一つのコンピュータに、前記ＵＥを、少なくともそれぞれの無線状態に基づいて１又は複数のグループにグループ分けさせるためのコードを更に含む請求項２８に記載のコンピュータ読み取り可能な記憶媒体。
【請求項３０】
前記電力制御メッセージを送信するためのインストラクションは、前記ＵＥグループのうちの少なくとも一つに対して共通電力制御メッセージを送信するためのインストラクションを更に含み、
前記共通電力制御メッセージは、前記電力制御コマンドに加えてインデクシング情報を含む請求項２９に記載のコンピュータ読み取り可能な記憶媒体。
【請求項３１】
電力制御情報を通信するための無線通信装置において、
前記システムは、
１又は複数のＵＥからアップリンク通信を受信するための手段と、
非最適電力レベルで受信されるアップリンク通信を識別するために、前記受信されたアップリンク通信を解析するための手段と、ここで、非最適電力レベルは、電力制御されるべき電力レベルである、
前記アップリンク通信のうちの１又は複数が非最適電力レベルで前記ＵＥのうちの１又は複数により送信された場合に、前記非最適電力レベルで送信しているＵＥのうちの少なくとも一つに対して１又は複数の電力制御メッセージを送信するための手段とを含み、ここで、該メッセージ内の少なくとも一つの電力制御コマンドの位置は、前記非最適アップリンク通信のために前記少なくとも一つのＵＥにより利用される少なくとも一つの資源にマッピングされる、無線通信装置。
【請求項３２】
１又は複数の前記受信されたアップリンク通信又は前記受信されたアップリンク通信に関連する属性を記憶するための手段を更に含む請求項３１に記載の装置。
【請求項３３】
前記電力制御メッセージを送信するための手段は、前記電力制御コマンドを含むビットマップを送信する請求項３１に記載の装置。
【請求項３４】
前記電力制御コマンドは、前記ビットマップ内のビットであり、前記ビットマップ内の前記ビットの位置は、前記非最適アップリンク通信を送信する前記少なくとも一つのＵＥにより使用される前記少なくとも一つの資源へマッピングされる請求項３３に記載の方法。
【請求項３５】
前記少なくとも一つのＵＥの電力を制御するためのビットの数は、前記ＵＥにより前記非最適アップリンク通信のために利用される資源の数に関連している請求項３４に記載の装置。
【請求項３６】
前記ＵＥによりアップリンク通信のために利用される資源にインデックス付けするための手段を更に含む請求項３１に記載の装置。
【請求項３７】
解析するための手段は、前記ＵＥを、それに関連するそれぞれの無線状態に従って、１又は複数のグループへグループ分けする請求項３６に記載の装置。
【請求項３８】
前記送信するための手段は、共通電力制御メッセージを、前記ＵＥグループのうちの少なくとも一つに送信し、
前記電力制御メッセージは、前記電力制御コマンドに加えて前記資源インデクシング情報を含む請求項３７に記載の装置。
【請求項３９】
電力制御コマンドを受信する方法において、
基地局へ、１又は複数のアップリンク通信を送信することと、
前記基地局から、ダウンリンク上で少なくとも一つの電力制御メッセージを受信することと、ここで、少なくとも一つの電力制御コマンドの位置は、非最適アップリンク通信を送信している１又は複数のＵＥにより利用される１又は複数の資源にマッピングされ、また、ここで、非最適電力レベルは、電力制御されるべき電力レベルである、
少なくとも前記電力制御メッセージ内の前記コマンドの位置に基づいて、前記少なくとも一つの電力制御コマンドを識別することと、
前記少なくとも一つの電力制御コマンドに従って前記１又は複数のアップリンク通信の電力レベルを調整することを含み、
前記電力制御メッセージには、前記少なくとも一つの電力制御コマンドのみが含まれ、
前記少なくとも一つの電力制御コマンドは、前記基地局において受信されたアップリンク通信のうちの１又は複数が非最適電力レベルで送信されたと判定された場合にのみ、前記基地局により生成され、前記電力制御メッセージに含められて前記基地局から送信される、
方法。
【請求項４０】
前記１又は複数のアップリンク通信を送信することは、複数の資源の上の異なる複数の周波数で複数のアップリンク通信を非最適電力レベルで送信することを含む請求項３９に記載の方法。
【請求項４１】
前記受信された電力制御メッセージは、複数の電力制御コマンドを含み、
前記受信されたメッセージ内の電力制御コマンドの位置は、非最適アップリンク通信のために使用される複数の資源にマッピングされる請求項４０に記載の方法。
【請求項４２】
前記アップリンクのために利用される前記資源は、インデックス付けされたものである請求項３９に記載の方法。
【請求項４３】
少なくとも無線条件に基づいて、ＵＥのグループに関連付けられることを更に含む請求項４２に記載の方法。
【請求項４４】
前記電力制御メッセージを受信することは、ＵＥにより前記アップリンク通信について利用される前記資源に関連するインデクシング情報に加えて前記グループ中に電力制御コマンドを含むグループ電力制御メッセージを受信することを含む請求項４３に記載の方法。
【請求項４５】
通信システム内で送信電力レベルを調整するためのユーザ装置において、
前記ユーザ装置は、
基地局へ、非最適電力レベルで１又は複数のアップリンク通信を送信する送信機と、ここで、非最適電力レベルは、電力制御されるべき電力レベルである、
前記基地局から、ダウンリンク上で少なくとも一つの電力制御メッセージを受信する受信機と、ここで、前記少なくとも一つの電力制御メッセージ内の少なくとも一つの電力制御コマンドの位置は、非最適アップリンク通信を送信している１又は複数のユーザ装置により利用される１又は複数の資源にマッピングされる、
前記受信された電力制御コマンドに基づいて、前記送信機の電力レベルを制御するプロセッサとを含み、
前記電力制御メッセージには、前記少なくとも一つの電力制御コマンドのみが含まれ、
前記少なくとも一つの電力制御コマンドは、前記基地局において受信されたアップリンク通信のうちの１又は複数が非最適電力レベルで送信されたと判定された場合にのみ、前記基地局により生成され、前記電力制御メッセージに含められて前記基地局から送信される、
ユーザ装置。
【請求項４６】
前記受信された電力制御メッセージは、ビットマップを含み、
前記ビットマップ内の少なくとも１ビットは、前記電力制御コマンドとして機能し、
前記ビットマップ内の前記ビットの位置は、前記非最適アップリンク通信により利用される前記資源にマッピングされる請求項４５に記載の方法。
【請求項４７】
前記ビットマップ内のビットの数は、前記非最適アップリンク通信により利用される複数の資源に対応する請求項４６に記載のユーザ装置。
【請求項４８】
前記資源は、パーシスタントに割り当てられる請求項４５に記載のユーザ装置。
【請求項４９】
前記複数の電力制御メッセージは、異なる複数の周波数で非最適電力レベルで送信される複数のアップリンク通信のための電力制御コマンドを運搬し、
それぞれのメッセージ内の電力制御コマンドの前記位置は、前記非最適アップリンク通信により利用される複数の資源にマッピングされる請求項４５に記載のユーザ装置。
【請求項５０】
前記非最適アップリンク通信により利用される前記資源は、インデックス付けされたものである請求項４５に記載のユーザ装置。
【請求項５１】
前記電力制御メッセージは、前記電力制御コマンドに加えて前記資源に関連するインデクシング情報を含む請求項４５に記載のユーザ装置。
【請求項５２】
コンピュータプログラムを記憶したコンピュータ読み取り可能な記憶媒体において、
前記コンピュータプログラムは、
少なくとも一つのコンピュータに、基地局へ、１又は複数のアップリンク通信を送信させるためのコードと、
少なくとも一つのコンピュータに、前記基地局から、ダウンリンク上で少なくとも一つの電力制御メッセージを受信させるためのコードと、ここで、少なくとも一つの電力制御コマンドの位置は、非最適アップリンク通信を送信している１又は複数のＵＥにより利用される少なくとも一つの資源にマッピングされ、また、ここで、非最適電力レベルは、電力制御されるべき電力レベルである、
少なくとも一つのコンピュータに、前記少なくとも一つの電力制御コマンドに従って前記１又は複数のアップリンク通信の電力レベルを調整させるためのコードとを含み、
前記電力制御メッセージには、前記少なくとも一つの電力制御コマンドのみが含まれ、
前記少なくとも一つの電力制御コマンドは、前記基地局において受信されたアップリンク通信のうちの１又は複数が非最適電力レベルで送信されたと判定された場合にのみ、前記基地局により生成され、前記電力制御メッセージに含められて前記基地局から送信される、
コンピュータ読み取り可能な記憶媒体。
【請求項５３】
少なくとも一つのコンピュータに１又は複数のアップリンク通信を送信させるためのコードは、前記少なくとも一つのコンピュータに、複数の資源の上の異なる複数の周波数で複数のアップリンク通信を送信させるためのコードを更に含む請求項５２に記載のコンピュータ読み取り可能な記憶媒体。
【請求項５４】
前記受信された電力制御メッセージは、複数の電力制御コマンドを含み、
前記受信されたメッセージ内の前記電力制御コマンドの位置は、前記アップリンク通信のために使用される前記複数の資源にマッピングされる請求項５３に記載のコンピュータ読み取り可能な記憶媒体。
【請求項５５】
前記アップリンクのために利用される前記資源は、インデックス付けされたものである請求項５２に記載のコンピュータ読み取り可能な記憶媒体。
【請求項５６】
前記コンピュータプログラムは、少なくとも一つのコンピュータに、少なくとも無線状態に基づいて、ＵＥのグループと関連付けさせるためのコードを更に含む請求項５２に記載のコンピュータ読み取り可能な記憶媒体。
【請求項５７】
前記受信された電力制御メッセージは、前記グループにおける電力制御コマンド及び前記ＵＥにより前記アップリンク通信について利用される前記資源に関連するインデクシング情報を含むグループ電力制御メッセージである請求項５６に記載のコンピュータ読み取り可能な記憶媒体。
【請求項５８】
無線通信システム内で電力を調整するための装置において、
前記装置は、
基地局へ、１又は複数のアップリンク通信を送信するための手段と、
前記基地局から、ダウンリンク上で少なくとも一つの電力制御メッセージを受信するための手段と、ここで、少なくとも一つの電力制御コマンドの位置は、非最適アップリンク通信を送信している１又は複数のＵＥにより利用される少なくとも一つの資源にマッピングされ、また、ここで、非最適電力レベルは、電力制御されるべき電力レベルである、
前記少なくとも一つの電力制御コマンドに従って前記１又は複数のアップリンク通信の電力レベルを調整するための手段とを含み、
前記電力制御メッセージには、前記少なくとも一つの電力制御コマンドのみが含まれ、
前記少なくとも一つの電力制御コマンドは、前記基地局において受信されたアップリンク通信のうちの１又は複数が非最適電力レベルで送信されたと判定された場合にのみ、前記基地局により生成され、前記電力制御メッセージに含められて前記基地局から送信される、
装置。
【請求項５９】
前記アップリンク通信において利用される前記資源は、インデックス付けされたものであり、
前記電力制御メッセージは、前記電力制御コマンドとともにインデクシング情報を含む請求項５８に記載の装置。
【発明の詳細な説明】
【技術分野】
【０００１】
（関連出願の相互参照）
この出願は、２００７年６月２０日付け提出された「METHODS AND APPARATUSES FOR POWER CONTROL」と題される米国仮出願第６０／９４５，３２５号の利益を主張する。そして、それの全部は参照によって本明細書に組み込まれる。
【背景技術】
【０００２】
例えばボイス、データ、ビデオなどのような、様々なタイプの通信を提供するために、無線通信システムが広く配置される。これらのシステムは、利用できるシステム資源（例えば、バンド幅と送信電力）を共有することによって複数のアクセス端末との通信をサポートすることができる多元接続システムであることができる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、及び直交周波数分割多元接続（ＯＦＤＭＡ）システムを含む。一般的に、無線通信システムは、いくつかの基地局を含む。ここで、各々の基地局は、順方向リンクを使って移動局と通信し、また、各々の移動局（又はアクセス端末）は、逆方向リンクを使って（１又は複数の）基地局と通信する。
【０００３】
一般に、無線多元接続通信システムは、同時に複数の無線端末に関する通信をサポートすることができる。各々の端末は、順方向及び逆方向リンク上での伝送を通じて１又は複数の基地局と通信する。順方向リンク（又はダウンリンク）は、基地局から端末までの通信リンクを指し示し、逆方向リンク（又はアップリンク）は、端末から基地局までの通信リンクを指し示す。この通信リンクは、単一入力単一出力（ＳＩＳＯ）、多重入力単一出力（ＭＩＳＯ）又は多重入力多重出力（ＭＩＭＯ）システムを通じて確立されることができる。
【０００４】
ＭＩＭＯシステムは、データ伝送のために複数の（ＮＴ個の）送信アンテナ及び複数の（ＮＲ個の）受信アンテナを使用する。ＮＴ個の送信アンテナ及びＮＲ個の受信アンテナによって形成されるＭＩＭＯチャネルは、空間チャネルとも呼ばれる、ＮＳ個の独立したチャネルに分解されることができる。ここで、ＮＳ≦min｛ＮＴ，ＮＲ｝である。ＮＳ個の独立したチャネルの各々は、一つの次元に対応する。複数の送信及び受信アンテナによって作成される更なる次元が利用される場合、ＭＩＭＯシステムは、向上したパフォーマンス（例えば、より高いスループット及び／又はより大きな信頼性）を提供することができる。
【０００５】
ＭＩＭＯシステムは、時分割双方向（ＴＤＤ）システム及び周波数分割双方向（ＦＤＤ）システムをサポートする。ＴＤＤシステムにおいて、順方向リンクの伝送及び逆方向リンクの伝送は、相互関係原則が逆方向リンク・チャネルから順方向リンク・チャネルを推定することを可能にするように、同一の周波数領域上にある。これは、ｅＮｏｄｅ Ｂにおいて複数のアンテナが利用できる場合に、ｅＮｏｄｅ Ｂが、順方向リンク上で送信ビームフォーミング利得（transmit beamforming gain）を抽出することを可能にする。
【０００６】
ユーザが伝送のためのデータを生成する場合に、サービス要求が、確立された通信チャネルを介して基地局又はｅＮｏｄｅ Ｂに伝えられ、次に、基地局は、時間、バンド幅の要求／利用可能性又は該ユーザのサービス・オプションを条件とする資源を割り当てる。ユーザのアクセス端末又はユーザ装置（ＵＥ）は、したがって、アップリンクを介してｅＮｏｄｅ Ｂと通信するために、該割り当てられた資源を利用する。しかし、例えば、電力の制約、信号の減衰、障害などのような様々な要因は、ＵＥからの伝送の変動につながる可能性がある。その結果、ｅＮｏｄｅ Ｂは、ＵＥから受信される伝送に基づいて、電力制御信号をＵＥに送信し、それによって、ＵＥが最適電力で送信するのを容易にしている。しかし、電力制御コマンドの送信のために割り当てられる資源は、静的に割り当てられ、そのため、たとえＵＥが最適電力レベルで送信していなくても送信していても、電力制御のための資源は割り当てられたままであり、それによって、無線通信システム内の資源の非最適な使用につながっている。
【発明の概要】
【０００７】
以下は、クレームされた主題の簡略化された概要を、該クレームされた主題の幾つかの態様の基本的な理解を提供するために示す。この概要は、該クレームされた主題の外延的な概要でない。それは、該クレームされた主題の鍵となる又は重要な要素を特定することも、該クレームされた主題の範囲を線引きすることも意図されていない。その唯一の目的は、後で示されるより詳しい説明に対する前置きとして、該クレームされた主題のいくつかの概念を簡略化された形で示すことである。
【０００８】
一つの態様に従って、無線通信システム内で電力を制御するための方法が開示される。１又は複数のアップリンク通信を受信すると、受信された通信のいずれかが非最適電力レベルで送信されたかどうか判定される。そうであれば、非最適電力レベルで通信を送信しているＵＥ及び非最適アップリンク通信のためにＵＥにより使用される資源が識別される。それに応じて、当該のＵＥのために電力制御メッセージが生成される。より詳細な態様において、該メッセージ内の電力を制御するためのコマンドの位置は、それぞれのＵＥにより使用される資源にマッピングされる。このように生成された電力制御メッセージは、続いて、それらＵＥに送信される。
【０００９】
更なる態様において、電力制御メッセージは、該電力制御コマンドを伝えるビットマップ（該ビットマップ内のビットが該電力制御コマンドを表す）を含むことができ、また、該ビットマップ内の該ビットの位置は、それぞれのＵＥにより使用される資源にマッピングされる。ＵＥの電力を制御するためのビットの数は、ＵＥによりそのアップリンク通信のために利用される資源の数に関連している。異なる態様に従って、共通電力制御メッセージが複数のＵＥへ送信されることができ、又は、代わりに、電力制御ビットを含む個別の電力制御メッセージが別々にＵＥの各々へ送信されることができる。ＵＥのうちの少なくとも一つが異なる複数の周波数で複数のデータストリームを送信しているならば、電力制御メッセージは、非最適電力レベルで送信されているデータストリームにより利用される１又は複数の資源ブロックの電力を個別に調整することができる。
【００１０】
他の態様において、ＵＥに対してそれらのアップリンク通信のために割り当てられる資源は、インデックス付けされることができる。ＵＥへ送信される電力制御メッセージは、電力制御コマンドに加えてインデクシング情報を含むことができる。これは、グループ電力制御メッセージが類似する無線状態を持つＵＥに送信されることができるように、ＵＥを少なくともそれらの無線状態に基づいてグループ分けすることを容易にする。これは、動的なシグナリング（電力調整を要求するそれらのＵＥだけが電力制御コマンドを受信する。）を容易にし、一方、すでに最適電力レベルで送信しているＵＥへ不必要な通信を送信する際に、いかなる資源も無駄にならない。
【００１１】
他の態様は、通信システム内で電力制御情報を伝達するための装置に関係する。本装置は、１又は複数のＵＥから１又は複数の通信を受信する受信機を含む。本装置内のプロセッサは、非最適電力レベルで送信されるそれら通信のための電力制御メッセージを生成する。該メッセージは、それらの中の電力制御コマンドの位置がアップリンク通信により利用される資源にマッピングされるように、作成される。送信機は、その後、該電力制御メッセージをＵＥに送信する。本装置はまた、該電力制御コマンド又は該資源に関連する情報を記憶するメモリを含む。
【００１２】
異なる態様において、一つの電力制御メッセージが、複数のＵＥに関連する複数の電力制御コマンドを含むことができ、又は、複数の電力制御メッセージが、別々に該複数のＵＥの各々へ送信されることができる。該電力制御メッセージ内の電力制御コマンドの位置は、ＵＥによりそれらのアップリンク通信のために利用される資源にマッピングされる。他の態様は、該アップリンクの上で送信するために複数の資源を利用しているＵＥに関係する。この態様にいて、該電力制御メッセージは、複数の電力制御コマンド（その該電力制御メッセージ内の位置がＵＥにより利用される複数の資源にマッピングされる。）を含むことができる。さらにもう一つの態様は、複数の周波数で複数の上記通信を送信しているＵＥに関連している。この態様に従って、プロセッサは、ＵＥから受信される複数の通信のために、電力制御メッセージ（該電力制御メッセージは、異なる複数の周波数で送信されている１又は複数の上記通信のための電力制御コマンドを含む。）を生成する。
【００１３】
本装置はまた、動的なシグナリングを容易にし（ＵＥにより利用される資源は、インデックス付けされる。）、そして、該電力制御メッセージは、該電力制御コマンドとともに該資源に関連するインデクシング情報を含むことができる。これは、ＵＥを少なくともそれらのそれぞれの無線状態に基づいてグループ化し、そして、共通グループ電力制御メッセージを、電力調整を要求するそれらＵＥだけに送信することを容易にする。
【００１４】
他の態様において、主題の技術革新は、少なくとも一つのコンピュータに、１又は複数のアップリンク通信を受信させるためのコードと、少なくとも一つのコンピュータに、前記通信が最適電力レベルで送信されたかどうか判定させるためのコードと、少なくとも一つのコンピュータに、非最適電力レベルで送信されたアップリンク通信について、該非最適アップリンク通信のために１又は複数のＵＥにより使用される１又は複数の資源を判定させるためのコードと、少なくとも一つのコンピュータに、前記ＵＥのための１又は複数の電力制御メッセージ（ここで、電力を制御するための制御コマンドの位置は、前記それぞれのＵＥにより使用される前記１又は複数の資源へマッピングされる。）を生成させるためのコードと、少なくとも一つのコンピュータに、前記１又は複数のＵＥへ前記電力制御メッセージを送信させるためのコードとを含むコンピュータ読み取り可能な媒体を含むコンピュータプログラム製品を開示する。
【００１５】
電力制御情報を通信するための装置が更に他の態様に従って開示される。本装置は、ＵＥからアップリンク通信を受信するための手段を含む。非最適電力レベルで受信される通信を識別するために、該受信された通信を解析するための手段がまた、本システム内に含まれる。すれゆえ、送信するための手段は、上記ＵＥに対して電力制御メッセージ（該メッセージ内の少なくとも一つの電力制御コマンドの位置は、該非最適アップリンク通信のために該少なくとも一つのＵＥにより利用される少なくとも一つの資源にマッピングされる。）を送信する。
【００１６】
更に他の態様において、電力制御コマンドを受信する方法が開示される。本方法は、アップリンク通信を送信することと、ダウンリンク上で少なくとも一つの電力制御メッセージを受信することを含む。該電力制御メッセージは、少なくとも一つの電力制御コマンドを含む（該電力制御コマンドの位置は、該アップリンク通信において利用される資源にマッピングされる）。該メッセージ内でその位置に基づいて、該電力制御コマンドが識別され、そして、該１又は複数のアップリンク通信の電力レベルは、該受信された電力制御コマンドに従って調整される。
【００１７】
通信システム内で送信電力レベルを調整するための装置が、この態様に従って開示される。本装置は、１又は複数のアップリンク通信を送信する送信機を含む。該アップリンク通信の一部は、非最適電力レベルで送信されるかもしれない。それゆえ、受信機は、少なくとも一つの電力制御メッセージを受信する（該少なくとも一つの電力制御メッセージ内の少なくとも一つの電力制御コマンドの位置は、該非最適アップリンク通信により利用される１又は複数の資源にマッピングされる）。本装置内に含まれるプロセッサはまた、該受信された電力制御コマンドに基づいて、上記送信機の電力レベルを制御する。
【００１８】
他の態様は、少なくとも一つのコンピュータに、１又は複数のアップリンク通信を送信させるためのコードと、少なくとも一つのコンピュータに、ダウンリンク上で少なくとも一つの電力制御メッセージを受信させるためのコードと（少なくとも一つの電力制御コマンドの位置は、該アップリンク通信において利用される少なくとも一つの資源にマッピングされる。）、少なくとも一つのコンピュータに、該少なくとも一つの電力制御コマンドに従って該１又は複数のアップリンク通信の電力レベルを調整させるためのコードとを含むコンピュータ読み取り可能な媒体を含むコンピュータプログラム製品に関連する。
【００１９】
無線通信システム内で力電力を調整するための装置が、この態様に従って開示される。本装置は、送信するための手段、受信するための手段及び電力レベルを調整するための手段を含む。上記送信するための手段は、１又は複数のアップリンク通信を送信する。受信するための手段は、ダウンリンク上で少なくとも一つの電力制御メッセージ（少なくとも一つの電力制御コマンドの位置は、該アップリンク通信において利用される少なくとも一つの資源にマッピングされる。）を受信するのを容易にする。その結果、調整するための手段は、該少なくとも一つの電力制御コマンドに従って該１又は複数のアップリンク通信の電力レベルを調整する。
【００２０】
以下の説明及び添付図面は、クレームされた主題のある実例となる態様を詳細に説明する。しかしながら、これらの態様は、クレームされた主題の原理が使用されることのできる様々な方法のうちのほんの数例を示しており、また、クレームされた主題は、そのような態様及びそれらの均等物のすべてを含むことを意図されている。図面とともに考慮されるとき、クレームされた主題の他の利点及び顕著な特徴は、クレームされた主題の以下の詳細な説明から明らかになるであろう。
【図面の簡単な説明】
【００２１】
【図１】図１は、一つの実施態様に従った多元接続無線通信システムを示す。
【図２】図２は、ＭＩＭＯシステムにおけるｅＮｏｄｅ Ｂ及びアクセス端末（又はＵＥ）の実施態様のブロック図である。
【図３】図３は、本明細書で説明される様々な態様に従った無線多元接続通信システムの説明図である。
【図４】図４は、ＵＥアップリンク伝送の閉ループ電力制御を詳述するフローチャートである。
【図５Ａ】図５Ａは、一つの態様に従った、電力制御コマンドを受信する複数のアクセス端末へ送信される電力制御メッセージの概略図を示す。
【図５Ｂ】図５Ｂは、二つ以上の資源ブロックがアクセス端末によりそのアップリンク通信の伝送のために使用される他の態様に関係する。
【図５Ｃ】図５Ｃは、異なるアクセス端末がそれらのアップリンク通信のために様々な数の資源ブロックを使用する更に他の態様に関係する。
【図５Ｄ】図５Ｄは、ＵＥがＭＣ−ＦＤＭＡスキームに従って複数のデータストリームを送信している場合における電力制御メッセージの送信に関係する他の態様を示す。
【図６】図６は、一つの態様に従った、１又は複数のアクセス端末に電力制御メッセージを送信する方法論に関係する。
【図７】図７は、一つの態様に従った、１又は複数のＵＥに電力制御メッセージを送信する手順に関係する。
【図８】図８は、様々なＵＥのために電力制御メッセージを生成するより詳細な態様に関係する。
【図９】図９は、本明細書で説明されるインデクシング（indexing）を用いて電力制御コマンドを送信する手順に関連する。
【図１０】図１０は、受信されたコマンドに基づいてＵＥにおける電力を調整（adjusting）する方法を詳述するフローチャートである。
【図１１】図１１は、様々な態様に従うデバイスの様々なコンポーネントのハイレベル・システム図を示す。
【図１２】図１２は、本明細書で説明される異なる態様に従うデバイスの様々なコンポーネントを示す他のハイレベル図である。
【図１３】図１３は、本件明細書において開示される態様に従う、電力制御情報の通信を可能にするシステム例のブロック図を示す。
【図１４】図１４は、本件明細書において説明される態様に従う、無線通信システム内での電力の調整を可能にするシステム例のブロック図を示す。
【詳細な説明】
【００２２】
これから、クレームされた主題が図面を参照しながら説明される。ここで、全体にわたって、同様の参照番号は、同様のエレメントを指すために用いられる。以下の記述では、説明のために、多くの特定の細部が、該クレームされた主題の深い理解を与えるために説明される。しかしながら、これら特定の細部なしに該クレームされた主題が実施され得ることは明らかであろう。他の例において、該クレームされた主題の説明を容易にするために、既知の構造及びデバイスがブロック図の形で示される。
【００２３】
これから、様々な実施形態が図面を参照しながら説明される。ここで、全体にわたって、同様の参照番号は、同様のエレメントを指すために用いられる。以下の記述では、説明のために、多くの特定の細部が、１又は複数の態様の深い理解を与えるために説明される。しかしながら、これら特定の細部なしにそのような（１又は複数の）実施形態が実施され得ることは明らかであろう。他の例において、１又は複数の実施形態の説明を容易にするために、既知の構造及びデバイスがブロック図の形で示される。この出願において用いられるように、用語“コンポーネント（component）”、“モジュール（module）”、“システム（system）”及び同類のものは、コンピュータ関連のエンティティー、ハードウェア、ファームウェア、ハードウェアとソフトウェアの組み合わせ、ソフトウェア又は実行中のソフトウェアのいずれをも指すことを意図されている。例えば、コンポーネントは、プロセッサ上で動作するプロセス、プロセッサ、集積回路、オブジェクト、実行ファイル（executable）、実行のスレッド、プログラム、及び／又は、コンピュータであっても良い（ただし、これらに制限されない）。例として、コンピュータ・デバイス上で動作するアプリケーションと、そのコンピュータ・デバイスの両方とも、コンポーネントであることができる。１又は複数のコンポーネントがプロセス及び／又は実行のスレッドの内部に存在することができ、また、一つのコンポーネントが一つのコンピュータに局在し及び／又は２以上のコンピュータ間に分散されることができる。加えて、これらコンポーネントは、様々なデータ構造を記録した様々なコンピュータ読み取り可能な媒体から実行することができる。それらコンポーネントは、例えば１又は複数のデータパケットを有する信号（例えば、その信号を経由して、ローカルシステム中の、分散システム中の及び／又は例えば他のシステムを有するインターネットのようなネットワークを横切る、他のコンポーネントと情報をやりとりする、一つのコンポーネントからのデータ）に従うなど、ローカルプロセス及び／又はリモートプロセスを経由して、通信することができる。
【００２４】
様々な実施形態は、いくつかのデバイス、コンポーネント、モジュール及び同類のものを含むことのできるシステムに関して示されることになる。様々なシステムが、更なるデバイス、コンポーネント、モジュールなどを含むことができ、及び／又は、必ずしも図面に関連して述べられるデバイス、コンポーネント、モジュールなどの全てを含まないことができることは、理解され及び認識されるべきである。これらのアプローチの組み合わせもまた使用されることができる。
【００２５】
単語“例示である（exemplary）”は、“例（example）、インスタンス（instance）又はイラストレーション（illustration）として役に立つこと”を意味するために本明細書で用いられる。“例示である（exemplary）”として本明細書で説明された実施形態又はデザインは、他の実施形態又はデザイン以上に好ましい又は有利であると解釈される必要はない。単語“聞いている（listening）”は、受信者デバイス（ｅＮｏｄｅ Ｂ又はＵＥ）が所定のチャネルの上でデータを受信又は処理していることを意味するために本明細書で用いられる。
【００２６】
様々な態様は、通信資源を移行することに関連する推論スキーム及び／又は技術を取り入れることができる。本明細書で用いられるように、用語“推論（inference）”は、一般に、イベント及び／又はデータを通して捕捉された一連の観測から、システム、環境及び／又はユーザの状態を推論（reasoning about）又は推論（inferring）するプロセスを指す。例えば、推論は、特定の状況（context）又はアクションを特定するために用いることができ、また、状態上の確率分布（probability distribution over states）を生成することができる。推論は、確率的、すなわち、データ及びイベントの考慮に基づく、対象の状態上の確率分布の計算、あるいは、確率的な推論及びユーザの目的及び意図の不確実性との関連で最も高く予期されたユーティリティーの表示動作の考慮の上に構築される決定理論であっても良い。また、推論は、一連のイベント及び／又はデータから、より高いレベルのイベントを構成するために用いられる技術を指すことができる。そのような推論は、一連の観測されたイベント及び／又は記憶されたイベントデータからの新たなイベント又はアクションの構築を、該イベントが緊密な時間的近接性と相関性があるかどうかにかかわらず且つ該イベント及びデータが一つ又は幾つかのイベント及びデータソースに由来しているかどうかにかかわらず、もたらす。
【００２７】
さらにまた、様々な態様が加入者設備に関連して本明細書で説明される。加入者設備はまた、システム、加入者ユニット、モバイル局、モバイル、リモート局、アクセスポイント、ｅＮｏｄｅ Ｂ、リモート端末、アクセス端末、ユーザ端末、ユーザ・エージェント、ユーザデバイス、モバイル・デバイス、携帯型通信デバイス、又はユーザ装置と呼ばれることができる。加入者設備は、携帯電話、コードレス電話、セッション開始プロトコル（ＳＩＰ）電話、ワイヤレスローカルループ（ＷＬＬ）局、携帯情報端末（ＰＤＡ）、無線接続能力を持つ携帯用デバイス、又は無線モデムに接続される他の処理デバイスであっても良い。
【００２８】
さらに、本明細書で説明される様々な態様又は特徴は、標準的なプログラミング及び／又はエンジニアリング技術を用いた方法、装置又は製品として実装されることができる。本明細書で用いられる用語“製品（article of manufacture）”は、任意のコンピュータ読み取り可能なデバイス、キャリア又は媒体からアクセスできるコンピュータプログラムを包含することを意図されている。例えば、コンピュータ読み取り可能な媒体は、磁気記憶装置（例えば、ハードディスク、フロッピー（登録商標）ディスク、磁気ストリップ…）、光ディスク（例えば、コンパクトディスク（ＣＤ）、デジタル多用途ディスク（ＤＶＤ）…）、スマートカード、及びフラッシュメモリ・デバイス（例えば、カード、スティック、キードライブ…）を含むことができるが、それらに制限されるものではない。その上、本明細書で説明される様々な記憶媒体は、１又は複数のデバイス及び／又は情報を格納するための他の機械読み取り可能な媒体を表すことができる。用語“機械読み取り可能な媒体（machine-readable medium）”は、制限されることなしに、（１又は複数の）インストラクション及び／又はデータを格納し、収容し及び／又は運ぶことができる無線チャネル及び様々な他の媒体を含むことができる。
【００２９】
本明細書で説明される技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどのような、様々な無線通信ネットワークのために使用されることができる。用語“ネットワーク（network）”及び“システム（system）”は、しばしば互換的に使われる。ＣＤＭＡネットワークは、例えばユニバーサル地上無線アクセス（ＵＴＲＡ）、ＣＤＭＡ２０００などのような無線技術を実装することができる。ＵＴＲＡは、ワイドバンドＣＤＭＡ（Ｗ−ＣＤＭＡ）及び低チップレート（ＬＣＲ）を含む。ｃｄｍａ２０００は、ＩＳ−２０００標準、ＩＳ−９５標準及びＩＳ−８５６標準をカバーする。ＴＤＭＡネットワークは、例えばグローバル移動体通信システム（ＧＳＭ（登録商標））のような無線技術を実装することができる。ＯＦＤＭＡネットワークは、例えばEvolved ＵＴＲＡ（Ｅ−ＵＴＲＡ）、ＩＥＥＥ ８０２．１１（Ｗｉ−Ｆｉ）、ＩＥＥＥ８０２．１６（ＷｉＭａｘ）、ＩＥＥＥ ８０２．２０、Ｆｌａｓｈ−ＯＦＤＭ（登録商標）などのような無線技術を実装することができる。ＵＴＲＡ、Ｅ−ＵＴＲＡ及びＧＳＭは、ユニバーサル移動通信システム（ＵＭＴＳ）の一部である。ロングタームエボリューション（ＬＴＥ）は、Ｅ−ＵＴＲＡを使うＵＭＴＳの来るリリースである。ＵＴＲＡ、Ｅ−ＵＴＲＡ、ＧＳＭ、ＵＭＴＳ及びＬＴＥは、“第３世代パートナーシッププロジェクト”（３ＧＰＰ）という名前の団体からのドキュメントに記載されている。ｃｄｍａ２０００は、“第３世代パートナーシッププロジェクト２”（３ＧＰＰ２）という名前の団体からのドキュメントに記載されている。これら各種の無線技術及び標準は、当該技術分野において知られている。明確にするために、その技術のある態様はＬＴＥについて以下で説明され、また、ＬＴＥは以下の説明の大半で使用される。
【００３０】
シングルキャリア周波数分割多元接続（ＳＣ−ＦＤＭＡ）は、シングルキャリア変調及び周波数領域イコライゼイションを利用する一つの技術である。ＳＣ−ＦＤＭＡは、ＯＦＤＭＡシステムと同程度のパフォーマンス及び基本的にＯＦＤＭＡシステムと同じ全体的な複雑さを持つ。ＳＣ−ＦＤＭＡ信号は、その固有のシングルキャリア構造のために、より低いピーク対平均電力比（ＰＡＰＲ）を持つ。ＳＣ−ＦＤＭＡは、より低いＰＡＰＲが送信電力効率の観点でモバイル端末に大いに恩恵を与えるアップリンク通信において特に、大きな注意をひいた。それは、現在のところ、３ＧＰＰロングタームエボリューション（ＬＴＥ）又はEvolved ＵＴＲＡにおけるアップリンク多元接続スキームに関する作業仮説（working assumption）である。
【００３１】
図１を参照して、一つの実施形態に従う多元接続無線通信システムが説明される。ｅＮｏｄｅ Ｂ １００は、複数のアンテナ・グループを含み、ここで、第１のグループはアンテナ１０４及び１０６を含み、もう一つは１０８及び１１０を含み、更なるグループは１１２及び１１４を含む。図１において、各々のアンテナ・グループについて、二つのアンテナだけが示されているが、各々のアンテナ・グループについて、より多い又はより少ないアンテナが利用されても良い。ＵＥ（ユーザ装置（user equipment））又はＡＴ（access terminal）１１６は、アンテナ１１２及び１１４と通信可能であり、ここで、アンテナ１１２及び１１４は、順方向リンク１２０上でＵＥ １１６に情報を送信し、また、逆方向リンク１１８上でＵＥ １１６から情報を受信する。ＵＥ １２２は、アンテナ１０６及び１０８と通信可能であり、ここで、アンテナ１０６及び１０８は、順方向リンク１２６上でＵＥ １２２に情報を送信し、また、逆方向リンク１２４上でＵＥ １２２から情報を受信する。ＦＤＤシステムにおいて、通信リンク１１８，１２０，１２４及び１２６は、通信のために異なる複数の周波数を使用することができる。例えば、順方向リンク１２０は、逆方向リンク１１８により用いられるものとは異なる周波数を使うことができる。複数のアンテナ・グループ及び／又はそれらがその中において通信するようにデザインされているところのエリアの各々は、しばしば、アクセスポイント又はｅＮｏｄｅ Ｂのセクターと呼ばれる。本実施形態では、諸アンテナ・グループは、ｅＮｏｄｅ Ｂ １００によりカバーされる諸エリア内の一つのセクターにおいて諸ＵＥと通信するように、それぞれデザインされている。
【００３２】
順方向リンク１２０及び１２６上の通信において、ｅＮｏｄｅ Ｂ １００の送信アンテナは、異なる複数のＵＥ １１６及び１２４のための順方向リンクの信号対雑音比を改善するために、ビームフォーミングを利用する。また、そのカバレージエリアの至る所にランダムに散在するＵＥに送信するためにビームフォーミングを使用しているｅＮｏｄｅＢは、そのすべてのＵＥに単一のアンテナを通して送信しているｅＮｏｄｅ Ｂと比べて、近隣のセルにおけるＵＥに対して、より少ない干渉しか引き起こさない。
【００３３】
ｅＮｏｄｅ Ｂは、端末と通信するために使用される固定局であることができ、そして、アクセスポイント、Ｎｏｄｅ Ｂ、ehanced Ｎｏｄｅ Ｂ（ｅＮｏｄｅ Ｂ）と呼ばれることもでき、又は何らかの他の専門用語で呼ばれることもできる。アクセス端末（ＡＴ）は、ユーザ装置（ＵＥ）、無線通信デバイス、端末と呼ばれることもでき、又は何らかの他の専門用語で呼ばれることもできる。
【００３４】
図２は、ＭＩＭＯシステム２００におけるｅＮｏｄｅ Ｂ ２１０及びアクセス端末（ＡＴ）又はユーザ装置（ＵＥ）２５０の実施形態のブロック図である。ｅＮｏｄｅ Ｂ ２１０において、いくつかのデータストリームのためのトラフィック・データは、データソース２１２から送信（ＴＸ）データプロセッサ２１４へ提供される。
【００３５】
一つの実施形態では、各々のデータストリームは、それぞれの送信アンテナ上で送信される。ＴＸデータプロセッサ２１４は、符号化されたデータを供給するために、そのデータストリームについて選択された特定の符号化スキームに基づいて、各々のデータストリームのためのトラフィック・データを、フォーマットし、符号化し、そして、インターリーブする。
【００３６】
各々のデータストリームのための符号化されたデータは、ＯＦＤＭ技術を用いて、パイロット・データと多重化されることができる。パイロット・データは、一般的に、既知の方法で処理された既知のデータ・パターンであり、また、チャネル・レスポンスを推定するために受信機システムで使用されることができる。各々のデータストリームのための多重化されたパイロット及び符号化されたデータは、それから、変調シンボルを提供するために、そのデータストリームについて選択された特定の変調スキーム（例えば、ＢＰＳＫ、ＱＳＰＫ、Ｍ−ＰＳＫ、又はＭ−ＱＡＭ）に基づいて、変調（すなわち、シンボルマッピング）される。各々のデータストリームに関するデータレート、符号化及び変調は、プロセッサ２３０により実行されるインストラクションにより決定されることができる。
【００３７】
すべてのデータストリームのための変調シンボルは、それから、ＴＸ ＭＩＭＯプロセッサ２２０に提供され、そして、ＴＸ ＭＩＭＯプロセッサ２２０は、更に、（例えば、ＯＦＤＭに関して）該変調シンボルを処理することができる。ＴＸ ＭＩＭＯプロセッサ２２０は、それから、ＮＴ個の変調シンボル・ストリームをＮＴ個の送信機（ＴＭＴＲ）２２２ａ〜２２２ｔに提供する。特定の実施形態では、ＴＸ ＭＩＭＯプロセッサ２２０は、データストリームのシンボルに及び該シンボルが送信されているアンテナに、ビームフォーミング重みを適用する。
【００３８】
各々の送信機２２２は、１又は複数のアナログ信号を提供するために、それぞれのシンボル・ストリームを受信及び処理し、そして、ＭＩＭＯチャネル上での伝送に適した変調信号を供給するために、該アナログ信号を更に調整（conditions）（例えば、増幅、フィルタリング及びアップコンバート）する。送信機２２２ａ〜２２２ｔのＮＴ個の変調信号は、それから、それぞれ、ＮＴ個のアンテナ２２４ａ〜２２４ｔから送信される。
【００３９】
ＵＥ ２５０において、送信された変調信号は、ＮＲ個のアンテナ２５２ａ〜２５２ｒにより受信され、そして、各々のアンテナ２５２からの該受信された信号は、それぞれの受信機（ＲＣＶＲ）２５４ａ〜２５４ｒに提供される。各々の受信機２５４は、それぞれの受信された信号を調整（例えば、フィルタリング、増幅及びダウンコンバート）し、サンプルを提供するために、該調整された信号をデジタイズし、更に、対応する“受信（received）”シンボル・ストリームを提供するために、該サンプルを処理する。
【００４０】
ＲＸデータプロセッサ２６０は、それから、ＮＴ個の“検出（detected）”シンボル・ストリームを提供するために、特定の受信機処理技術に基づいて、ＮＲ個の受信機２５４から、該ＮＲ個の受信シンボル・ストリームを受信し処理する。受信されたシンボル又は他の情報は、関連するメモリ２７２に記憶されることができる。ＲＸデータプロセッサ２６０は、それから、データストリームのためのトラフィック・データを回復するために、各々の検出されたシンボル・ストリームを、復調し、デインターリーブし、そして、復号化する。ＲＸデータプロセッサ２６０による処理は、ｅＮｏｄｅ Ｂ ２１０におけるＴＸＭＩＭＯプロセッサ２２０及びＴＸデータプロセッサ２１４により実行されるそれと相補的である。
【００４１】
プロセッサ２７０は、周期的に、いずれのプリコーディング・マトリックスを使用するべきかについて判定する（以下に記載する）。プロセッサ２７０は、マトリックス・インデックス部とランク値部とを含む逆方向リンク・メッセージを作成する。
【００４２】
逆方向リンク・メッセージは、通信リンク及び／又は受信データストリームに関して様々なタイプの情報を含むことができる。逆方向リンクの上で受信される情報は、関連するメモリ２３２に記憶されることができる。逆方向リンク・メッセージは、それから、ＴＸデータプロセッサ２３８（それはまた、データソース２３６からいくつかのデータストリームのためのトラフィック・データを受信する。）により処理され、変調器２８０により変調され、送信機２５４ａ〜２５４ｒにより調整され、そして、もとの送信機システム２１０へ送信される。
【００４３】
ｅＮｏｄｅ Ｂ ２１０において、受信機システム２５０からの変調信号は、受信機システム２５０により送信された逆方向リンク・メッセージを抽出するために、アンテナ２２４により受信され、受信機２２２により調整され、復調器２４０により復調され、そして、ＲＸデータプロセッサ２４２により処理される。プロセッサ２３０は、それから、いずれのプリコーディング・マトリックスを、ビームフォーミング重みを決定するための用いるかについて判定し、次に、該抽出されたメッセージを処理する。
【００４４】
一つの態様において、論理チャネルは、制御チャネルとトラフィック・チャネルに分類される。論理制御チャネルは、システム制御情報を放送するためのＤＬチャネルであるブロードキャスト制御チャネル（Broadcast Control Channel）（ＢＣＣＨ）を含む。ページング制御チャネル（Paging Control Channel）（ＰＣＣＨ）は、ページング情報を転送するＤＬチャネルである。マルチキャスト制御チャネル（Multicast Control Channel）（ＭＣＣＨ）は、マルチメディアブロードキャスト及びマルチキャストサービス（Multimedia Broadcast and Multicast Service）（ＭＢＭＳ）スケジューリングと、１又はいくつかのＭＴＣＨに関する制御情報とを送信するために使用されるポイントツーマルチポイント・チャネルである。通常、ＲＲＣコネクションを確立した後に、このチャネルは、ＭＢＭＳを受信するＵＥにより使用されるだけである。専用制御チャネル（Dedicated Control Channel）（ＤＣＣＨ）は、専用制御情報を送信し且つＲＲＣコネクションを持つＵＥにより使用される、ポイントツーポイント双方向チャネルである。態様において、論理トラフィック・チャネルは、ユーザ情報のトランスファーのための（一つのＵＥのために専用された）ポイントツーポイント双方向チャネルである専用トラフィックチャネル（Dedicated Traffic Channel）（ＤＴＣＨ）を含む。また、マルチキャスト・トラフィックチャネル（Multicast Traffic Channel）（ＭＴＣＨ）は、トラフィック・データを送信するためのポイントツーマルチポイントＤＬチャネルである。
【００４５】
一つの態様において、トランスポート・チャネルは、ＤＬとＵＬに分類される。ＤＬトランスポート・チャネルは、ブロードキャスト・チャネル（Broadcast Channel）（ＢＣＨ）、ダウンリンク共有チャネル（Downlink Shared Channel）（ＤＬ−ＳＣＨ）及びページング・チャネル（Paging Channel）（ＰＣＨ）を含む。ＵＥの省電力のサポートのためのＰＣＨ（ＤＲＸサイクルは、ＵＥへのネットワークにより示される）は、セル全体にわたってブロードキャストされ、また、他の制御チャネル／トラフィック・チャネルのために使用されることのできるＰＨＹ資源にマッピングされる。ＭＢＭＳに関連するＤＬトランスポート・チャネルは、マルチキャスト・チャネル（Multicast Channel）（ＭＣＨ）である。ＵＬトランスポート・チャネルは、ランダム・アクセス・チャネル（Random Access Channel）（ＲＡＣＨ）、アップリンク共有データ・チャネル（Uplink Shared Data Channel）（ＵＬ−ＳＤＣＨ）及び複数個のＰＨＹチャネルを含む。ＰＨＹチャネルは、ＤＬチャネル群とＵＬチャネル群とのセットを含む。
【００４６】
ＤＬ ＰＨＹチャネル及び信号は、以下を含む：（The DL PHY channels and signals comprises：）  
基準信号（Reference signal） (RS)  
一次及び二次同期信号（Primary and Secondary Synchronization Signals） (PSS/SSS)  
物理ダウンリンクは共有チャネル（Physical Downlink Shared Channel） (PDSCH)    物理ダウンリンク制御チャネル（Physical Downlink Control Channel） (PDCCH)  
物理マルチキャスト・チャネル（Physical Multicast Channel） (PMCH)  
物理ＨＡＲＱインジケータ・チャネル（Physical HARQ Indicator Channel） (PHICH)  
物理制御フォーマット・インジケータ・チャネル（Physical Control Format Indicator Channel） (PCFICH)  
ＵＬ ＰＨＹチャネルは、以下を含む：（The UL PHY Channels comprises：）  
物理ランダム・アクセス・チャネル（Physical Random Access Channel） (PRACH)    物理アップリンク制御チャネル（Physical Uplink Control Channel） (PUCCH)  
チャネル品質表示（Channel Quality Indicator） (CQI)  
プリコーディング・マトリックス・インジケータ（Precoding Matrix Indicator） (PMI)  
ランク・インジケータ（Rank Indicator） (RI)  
スケジューリング・リクエスト（Scheduling request） (SR)  
アップリンクＡＣＫ／ＮＡＫ（Uplink ACK/NAK）
物理アップリンク共有チャネル（Physical Uplink Shared Channel） (PUSCH)  
サウンディング基準信号（Sounding Reference Signal） (SRS)
一つの態様において、シングルキャリア波形の低ＰＡＲ特性を維持するチャネル構造（いつでも、該チャネルは周波数において近接に又は均一に間隔を置いて配置される）が提供される。
【００４７】
本文書のために、以下の略記法が適用される：  
ＡＭ        承認モード（Acknowledged Mode）  
ＡＭＤ       承認モード・データ（Acknowledged Mode Data）  
ＡＲＱ       自動リピート・リクエスト（Automatic Repeat Request）  
ＢＣＣＨ     ブロードキャスト制御チャネル（Broadcast Control CHannel）  
ＢＣＨ       ブロードキャスト・チャネル（Broadcast CHannel）  
Ｃ−        制御−（Control-）  
ＣＣＣＨ     共通制御チャネル（Common Control CHannel）  
ＣＣＨ       制御チャネル（Control CHannel）  
ＣＣＴｒＣＨ 符号化コンポジット・トランスポート・チャネル（Coded Composite Transport Channel）  
ＣＰ        サイクリックプリフィックス（Cyclic Prefix）  
ＣＲＣ       巡回冗長検査（Cyclic Redundancy Check）  
ＣＴＣＨ     共通トラフィック・チャネル（Common Traffic CHannel）
ＤＣＣＨ     専用制御チャネル（Dedicated Control CHannel）  
ＤＣＨ       専用チャネル（Dedicated CHannel）  
ＤＬ        ダウンリンク（DownLink）  
ＤＳＣＨ     ダウンリンク共有チャネル（Downlink Shared CHannel）  
ＤＴＣＨ     専用トラフィック・チャネル（Dedicated Traffic CHannel）  
ＦＡＣＨ     順方向リンク・アクセス・チャンネル（Forward link Access CHannel）  
ＦＤＤ       周波数分割双方向（Frequency Division Duplex）  
Ｌ１        レイヤ１（物理レイヤ）（Layer 1 (physical layer)）  
Ｌ２        レイヤ２（データリンクレイヤ）（Layer 2 (data link layer)）  
Ｌ３        レイヤ３（ネットワークレイヤ）（Layer 3 (network layer)）  
ＬＩ        長さインジケータ（Length Indicator）  
ＬＳＢ       最下位ビット（Least Significant Bit）  
ＭＡＣ       メディアアクセス制御（Medium Access Control）  
ＭＢＭＳ     マルチメディア・ブロードキャスト・マルチキャスト・サービス（Multmedia Broadcast Multicast Service）  
ＭＣＣＨ     ＭＢＭＳイントツーマルチポイント制御チャネル（MBMS point-to-multipoint Control CHannel）  
ＭＲＷ       ムーブ受信ウインドウ（Move Receiving Window）  
ＭＳＢ       最上位ビット（Most Significant Bit）  
ＭＳＣＨ     ＭＢＭＳポイントツーマルチポイント・スケジューリング・チャネル（MBMS point-to-multipoint Scheduling CHannel）  
ＭＴＣＨ     ＭＢＭＳポイントツーマルチポイント・トラフィック・チャネル（MBMS point-to-multipoint Traffic CHannel）  
ＰＣＣＨ     ページング制御チャネル（Paging Control CHannel）  
ＰＣＨ       ページング・チャネル（Paging CHannel）  
ＰＤＵ       プロトコル・データ・ユニット（Protocol Data Unit）  
ＰＨＹ       物理レイヤ（PHYsical layer）  
ＰｈｙＣＨ   物理チャネル（Physical CHannels）  
ＲＡＣＨ     ランダム・アクセス・チャネル（Random Access CHannel）  
ＲＬＣ       無線リンク制御（Radio Link Control）  
ＲＲＣ       無線資源制御（Radio Resource Control）  
ＳＡＰ       サービス・アクセス・ポイント（Service Access Point）  
ＳＤＵ       サービス・データユニット（Service Data Unit）  
ＳＮ        シーケンス番号（Sequence Number）  
ＳＵＦＩ     スーパー・フィールド（SUper FIeld）  
ＴＣＨ       トラフィック・チャネル（Traffic CHannel）  
ＴＤＤ       時分割双方向（Time Division Duplex）  
ＴＦＩ       トランスポート・フォーマット・インジケータ（Transport Format Indicator）  
ＴＭ        トランスペアレント・モード（Transparent Mode）  
ＴＭＤ       トランスペアレント・モード・データ（Transparent Mode Data）  
ＴＴＩ       伝送時間間隔（Transmission Time Interval）  
Ｕ−        ユーザ−（User-）  
ＵＥ        ユーザ装置（User Equipment）  
ＵＬ        アップリンク（UpLink）  
ＵＭ        不承認モード（Unacknowledged Mode）  
ＵＭＤ       不承認モード・データ（Unacknowledged Mode Data）  
ＵＭＴＳ     ユニバーサル・モバイル・テレコミュニケーション・システム（Universal Mobile Telecommunications System）  
ＵＴＲＡ     ＵＭＴＳ地上無線アクセス（UMTS Terrestrial Radio Access）  
ＵＴＲＡＮ   ＵＭＴＳ地上無線アクセス・ネットワーク（UMTS Terrestrial Radio Access Network）  
ＭＢＳＦＮ   マルチキャスト・ブロードキャスト単一周波数ネットワーク（multicast broadcast single frequency network）  
ＭＣＥ       ＭＢＭＳ調整エンティティー（MBMS coordinating entity）  
ＭＣＨ       マルチキャスト・チャネル（multicast channel）  
ＤＬ−ＳＣＨ ダウンリンク共有（downlink shared channel）  
ＭＳＣＨ     ＭＢＭＳ制御チャネル（MBMS control channel）  
ＰＤＣＣＨ   物理ダウンリンク制御チャネル（physical downlink control channel）  
ＰＤＳＣＨ   物理ダウンリンク共有チャネル（physical downlink shared channel）  
ＭＢＳＦＮ   マルチキャスト・ブロードキャスト単一周波数ネットワーク（multicast broadcast single frequency network）  
ＭＣＥ       ＭＢＭＳ調整エンティティー（MBMS coordinating entity）  
ＭＣＨ       マルチキャスト・チャネル（multicast channel）  
ＤＬ−ＳＣＨ ダウンリンク共有チャネル（downlink shared channel）  
ＭＳＣＨ     ＭＢＭ制御チャネル（MBMS control channel）  
ＰＤＣＣＨ   物理ダウンリンク制御チャネル（physical downlink control channel）  
ＰＤＳＣＨ   物理ダウンリンク共有チャネル（physical downlink shared channel）  
ＰＵＣＣＨ   物理アップリンク制御チャネル（physical uplink control channel）    ＰＵＳＣＨ   物理アップリンク共有チャネル（physical uplink shared channel）
図３は、様々な態様に従う無線多元接続通信システム３００の説明図である。一つの例において、無線多元接続通信システム３００は、複数のｅＮｏｄｅ Ｂ ３１０及び複数のＵＥ ３２０を含む。各々のｅＮｏｄｅ Ｂ ３１０は、特定の地理的エリア３０２（例えば、３０２ａ，３０２ｂ，３０２ｃ）のための通信カバレージを提供する。用語“セル（cell）”は、その用語が使用される文脈に応じて、ｅＮｏｄｅ Ｂ及び／又はそのカバレージエリアを指し示すことができる。システム能力を向上させるために、アクセス端末のカバレージエリアは、複数のより小さなエリア（例えば、３つのより小さなエリア３０４ａ，３０４ｂ及び３０４ｃ）に分割されることができる。各々のより小さなエリアは、それぞれのｅＮｏｄｅ Ｂによりサービスされる。用語“セクター（sector）”は、その用語が使用される文脈に応じて、ｅＮｏｄｅ Ｂ及び／又はそのカバレージエリアを指し示すことができる。セクタライズされたセルについて、そのセルのすべてのセクターに関する諸ｅＮｏｄｅ Ｂは、一般的に、そのセルに関する基地局内で同一場所に配置される。本明細書で説明されるシグナリング伝送技術は、セクタライズされていないセルを持つシステムと同様にセクタライズされたセルを持つシステムのために使用されることができる。簡単にするために、以下の説明において、用語“基地局（base station）”又はｅＮｏｄｅ Ｂは、一般的に、セルにサービスする局だけでなくセクターにサービスする局のために使用される。
【００４８】
端末又はＵＥ ３２０は、一般的に、システムの至る所に散在し、また、各々のＵＥは、固定されたものであったも、モバイルであっても良い。端末はまた、モバイル局、ユーザ装置、及び／又は何らかの他のデバイスと呼ばれても良く、また、モバイル局、ユーザ装置、及び／又は何らかの他のデバイスの機能性の一部又は全部を含んでも良い。端末は、無線デバイス、携帯電話、携帯情報端末（ＰＤＡ）、無線モデム・カード、その他であることができる。端末は、いかなるときでも、順方向及び逆方向リンク上で、０、１又は複数の基地局と通信することができる。
【００４９】
集中型のアーキテクチャーに関して、システム・コントローラ３３０は、諸ＡＰ ３１０に接続して、これら基地局に調整（coordination）及び制御を提供する。システム・コントローラ３３０は、単一のネットワーク・エンティティーであっても良いし又はネットワーク・エンティティーの集合であっても良い。分散型のアーキテクチャーに関して、諸ＡＰ ３１０は、必要に応じて、互いに通信することができる。
【００５０】
スケーラブルなバンド幅のサポートとともに、全二重及び半二重のＦＤＤ（周波数分割双方向）及びＴＤＤ（時分割双方向）のオペレーションのモードをサポートする、無線通信システム設計の１又は複数の態様が説明される。しかし、これは上記のケースである必要はなく、先のモードに加えて又はその代わりに、他のモードがサポートされても良い。さらに、本明細書の概念及びアプローチは、本明細書で説明される他のいずれの概念又はアプローチとともに使用される必要がないことは、留意されるべきである。
【００５１】
上に詳述されるように、信号は例えばｅＮｏｄｅ ＢからのＡＴの位置又は大気の影響又は他の要因のような様々な要因により影響を及ぼされるので、アップリンク電力制御は、ＲＮ（無線ネットワーク）のオペレーションに相当な影響を及ぼす可能性がある。これらの様々な要因のためにアップリンク信号により経験される減衰は、それらを絶えず高い電力レベルで送信することによって補償されることができる。しかし、そのような減衰を引き起こす上記要因の少なくとも一部が存在しない場合には、これは、例えば高レベルのユーザ間の干渉又は資源の浪費のような好ましくない結果に終わる可能性がある。その結果として、ＡＴによりアップリンク信号が送信される電力を制御することは望ましい。これは、通常、その制御チャネル伝送を通してサービング基地局によりＡＴに電力制御コマンドを送信することによって達成される。アップリンク伝送の電力を制御するプロセスは、非周期的メッセージ・ベースの手続きであることも可能であり、また、それが定期的に起こっても良い。
【００５２】
図４は、アップリンク伝送の閉ループ電力制御を詳述するフローチャート４００である。本手続きは、４０２で始まり、ここでは、基地局においてＵＥから受信されるアップリンク伝送に関連する１又は複数の属性に関して、閾値が規定されることができる。例えば、ＳＮＲ（信号対雑音比）は、最適な伝送に関して定義された閾値を持つＵＥアップリンク通信から検出される属性であり得る。４０４では、アップリンク伝送が基地局においてＵＥから受信される。これらの伝送は、資源リクエスト、データ／ボイス伝送又は他の通信に関係しても良い。４０６では、例えばＳＮＲのような要求される属性を検出するために、受信された伝送が４０６で解析される。４０８では、そのアップリンク通信が最適な属性を持つか判定される。そうであれば、基地局は、ＵＥの電力レベルに影響を及ぼすことなく伝送を受信し続ける。４０８でＵＥから受信された伝送が非最適であるとの結論が下された場合には、４１０において、それらを最適なレベルにセットするようにその属性に対してなされるべき適切な調整（adjustment）を決定するために、その属性が予め定義された閾値と比較される。４１２では、少なくとも４１０で得られた結果に基づいて、適切な電力制御メッセージが送信される。例えば、測定された属性のうちの一つが、アップリンク信号のＳＮＲである場合には、予め定義されたＳＮＲ閾値との比較に応じて、最適ＳＮＲでの伝送を容易にするために、電力レベルの適切な調整が決定される。したがって、４１０においてＳＮＲが予め定義された閾値より小さいと判定された場合には、その信号がより高い電力レベルで送信されなければならないとの結論が下されることができる。したがって、より高い電力レベルで信号を送信するように、電力制御コマンドがＵＥに送信される。４１０において受信信号のＳＮＲが予め定義された閾値以上であると判定された場合には、その信号が閾値より大きいＳＮＲを持つとの結論が下され、したがって、４１２において、アップリンク伝送の電力レベルを低下させるように、電力制御コマンドがＵＥに送信される。上で詳述された手続きが、ＵＥにおいて電力を制御する単なる一つの手順であることは、認識されることができる。他の方法が可能であり、例えば、ＵＥは、ダウンリンク信号の属性などを測定することを通して、それ自身の電力レベルを調整するようにプログラムされることができる。
【００５３】
したがって、端末が最適レベルでアップリンク通信を送信するのを容易にするために、ＵＥに電力制御コマンドを送信するためのサービング基地局によって、資源が割り当てられる。これらの資源は、通常、ユーザごとに（又はＵＥごとに）静的に割り当てられ、したがって、ＵＥが送信しているか否かにかかわらず、割り当てられたままである。これは、通信システム資源の非最適使用につながる。本明細書で述べられる様々な態様は、アップリンク伝送のために使用される資源にダウンリンク電力制御コマンドを関連付けることによって、そのような資源の浪費を軽減し、それによって、電力制御シグナリングのために資源のより動的な割り当てにつながっている。
【００５４】
図５Ａは、複数のＵＥ I, II, …..Nに送信される電力制御メッセージの概略図５００を示す。各ＵＥは、それぞれのＵＥがその上でそれらのアップリンク通信を送信する資源に関連する方法でマッピングされた電力制御コマンドを受信する。図において、５０２は、I, II, …..Nのための電力制御ビットを運んでいる制御チャネル・メッセージである。この具体例では、制御チャネル・メッセージ５０２は、メッセージ・タイプ・フィールド５０４、ビットマップ５０６及び巡回冗長検査（ＣＲＣ）フィールド５０８を含むことができる。メッセージ・タイプ・フィールド５０４は、このメッセージを制御チャネル・メッセージとして識別するための特定の値を運ぶ。異なるメッセージには、異なるメッセージ・タイプ値が割り当てられることができる。ビットマップ・フィールド５０６は、関連するＵＥの各々のための電力制御ビットを運ぶビットマップを含む。したがって、制御チャネル・メッセージ５０２は、各々のビットがI, II …N ＵＥの各々のための電力制御メッセージを運ぶＮビットを持って送信される。
【００５５】
更なる態様において、ビットマップ中のこれらの電力制御ビットの位置は、I, II, ……N ＵＥの各々によりそれらのアップリンク伝送のために用いられる資源に関連する。したがって、ＵＥ Iが資源ブロック１（ＲＢ １）上でアップリンク通信を送信している場合には、ＵＥ I用である電力制御ビットは、上記ビットマップ中の第１のビット０であることになる。同様に、ＵＥ IIが資源ブロック（ＲＢ）２上でアップリンク通信を送信している場合には、ビットマップ５０４中の第２のビットが、端末II用の電力制御ビットであることになる。一つの態様に従って、資源ブロックは、複数の資源エレメントで構成されることができる。例えば、資源ブロックは、例えば時間領域における特定の数の連続するＳＣ ＦＤＭＡシンボル及び周波数領域における特定の数の連続するサブキャリアのような、予め定められた資源エレメントを含むことができる。それゆえ、ＵＥ Ｎが第Ｎ番目の資源ブロック上で送信している場合には、ビットマップ・フィールド中の第Ｎ番目のビットは、ＵＥ Ｎ用の電力制御ビットであることになる。それゆえに、ダウンリンク上でＵＥに送信されるビットマップ中の電力制御ビットの位置は、諸ＵＥによりそれらのアップリンク通信のために使用される資源にマッピングされる。これらの資源は、更なる態様に従うそれぞれのＵＥにパーシスタントに（persistently）割り当てられることができる。資源がパーシスタントに割り当てられていない場合には、電力制御ビットはアップリンク許可に含まれることができる（ここでは、５０２がしたがって割り当てメッセージであることになる）。パーシスタントにスケジュールされた資源に加えて、電力制御ビットマップはまた、暗黙のうちに（implicitly）スケジュールされた再送のために利用されても良い。ここでは、ＰＵＳＣＨ伝送に否定的に応答（negatively acknowledge）するために、また、同一の仮想資源上で暗黙のうちにスケジュールするために、ＵＬ許可（grant）の代わりに、ＰＨＩＣＨが用いられる。各々の端末の電力を制御するための単一のビットを含む単一のメッセージがすべての端末に同時に送信されることが説明されたが、これが必要でないことは認識されることができる。下でより詳細に見られるように、各々のメッセージが個々の
ＵＥのために電力制御ビットを運ぶ場合に、個別の制御メッセージが、各々のＵＥに送信されることができる。
【００５６】
図５Ｂは、二つ以上の資源ブロックがＵＥによりそのアップリンク通信の伝送用に使用される他の態様に関係する。それらのそれぞれのアップリンク伝送用に、ＵＥ Iは二つの資源ブロック（１と２）を使用することができるのに対して、ＵＥ IIは資源ブロック３と４（ＲＢ ３，ＲＢ ４）を使用することができる。したがって、ＵＥの送信電力を制御するために、２ビットが使用される。この図において、５１２は、メッセージ・タイプ・フィールド５１４、ビットマップ５１６及び巡回冗長検査（ＣＲＣ）フィールド５１８を含む制御チャネル・メッセージである。本メッセージ中で２ビット以上を使用することは、２ビットが２２＝４レベルの電力に対応することができることから得られる細かさ（granularity）に関して、基地局に、より良い電力の制御を可能にする。同様に、端末によりそのアップリンク伝送用に用いられる資源ブロックの数に応じて、基地局は、ＵＥの電力を操作するために同じ数のビットを使用することができ、それによって、より良い制御を達成している。
【００５７】
図５Ｃは、異なるＵＥがそれらのアップリンク通信用に様々な数の資源ブロックを使用する更に他の態様に関係する。特に、それは、複数のＵＥ I, II, …..Nへ送信される電力制御メッセージの概略図であり、ここでは、ＵＥの各々に関する電力制御ビットの位置は、それぞれの端末がそれらのアップリンク通信を送信する資源にマッピングされる。図において、５５２は、端末I, II, …..Nに関する電力制御ビットを運ぶ制御チャネル・メッセージである。この具体例では、制御メッセージ５５２は、メッセージ・タイプ・フィールド５５４、ビットマップ５５６及び巡回冗長検査（ＣＲＣ）フィールド５５８を含む。メッセージ・タイプ・フィールド５５4は、このメッセージを制御チャネル・メッセージとして識別するための特定の値を持ち、ビットマップ・フィールド５５４は、関連するＵＥの各々に関する電力制御ビットを持つビットマップを含み、一方、ＣＲＣフィールドは、制御チャネル・メッセージが正しく復号化されたかどうか確認するためにＵＥにより用いられる。図に見られるように、ＵＥ Iは、それに割り当てられた二つの資源ブロックを持ち、したがって、２ビットは、ＵＥ Iの電力制御のために使用される。ＵＥ IIは、それに割り当てられた一つの資源ブロックだけを持ち、また、その送信電力を制御するために１ビットだけを持つ。したがって、制御チャネル・メッセージ５５２は、いくつかのビットＮ＋Ｘ ＞ Ｎで送信され、ここで、I, II, …N ＵＥの各々は、その電力制御に関連する異なる数のビットを持つことができる。これは、諸ＵＥがそれらのアップリンク伝送用に使用する資源の数に基づいて、サービング基地局が異なるＵＥについて異なる電力調整（correction）ステップを持つことを可能にする。したがって、基地局は、より多くの資源を使用しているＵＥの送信電力レベルに対して、より良い制御をすることができる。上で言及されたように、ダウンリンク上でＵＥに送信されるビットマップ中の電力制御ビットの位置は、諸ＵＥによりそれらのアップリンク通信のために使用される資源にマッピングされる。したがって、様々なＵＥは、ビットの数及びビットマップ内のビットの位置を復号化することができ、したがって、それらの送信電力を調整（adjust）することができる。
【００５８】
図５Ｄは、ＵＥがＭＣ−ＯＦＤＭＡスキームに従って複数のデータストリームを送信している場合における電力制御メッセージの送信に関係する他の態様を説明する。データストリームは、ＵＥにおいて生成されるオーディオ／ビデオ／ユーザ・データを含むことができる。したがって、それは、アップリンク上で送信するために連続した又は不連続な資源ブロックを使用することができ、また、電力制御ビットは、ＵＥへ電力制御メッセージを伝えるビットマップ内の連続した位置に又は不連続な位置に、位置されることができる。その上、各々のデータストリームは、その伝送用に異なる数の資源ブロックを使用している可能性がある。したがって、異なる数のビットが、各々のデータストリームによって利用される資源ブロックの電力制御に関連することが可能である。しかし、上記で述べられたように、サービング基地局からのダウンリンク通信におけるこれらのビットの位置は、アップリンク伝送用に使用されるそれぞれの資源ブロックにマッピングされるので、したがって、ＵＥは、ダウンリンク制御メッセージを復号化し、各々のデータストリームのための（１又は複数の）資源ブロックに関連するその送信電力を調整することができる。
【００５９】
特に、図５Ｄは、複数の不連続な資源ブロックを利用しているＭＣ−ＦＤＭＡモードに従ってアップリンク上で通信するＵＥ Iに送信されるダウンリンク制御メッセージを示す。例えば、それは、そのアップリンク伝送のうちの一つ（伝送 I）のために二つ資源ブロック（１及び４）を使用することができるのに対して、資源ブロック（２，３及び５）は、違う周波数上で送信されている他のアップリンク通信（伝送 II）のために使用される。したがって、第１及び第４の位置の２ビットは、該第１及び第４の資源ブロックを利用している通信についてＵＥの電力を制御するために使用されるのに対して、第２、第３及び第５の位置の３ビットは、該第２、第３及び第５の資源ブロックを利用している通信の電力を制御するために使用される。図において、制御メッセージ５７２は、ＵＥ Iに送信され、ここでは、該メッセージは、メッセージ・タイプ・フィールド５７４、ビットマップ５７６及び巡回冗長検査（ＣＲＣ）フィールド５７８を含む。不連続な資源ブロックはアップリンク上で送信するために使用されるので、その位置が不連続であるビットは、それぞれの伝送の電力を制御するために使用される。しかし、ビットマップ中のこれらビットの位置は、アップリンク通信のために使用される資源ブロックに関連しているので、ＵＥ Iは、復号化して、それらの位置に基づいてその様々なデータストリームの電力を適切に調整することができる。単一の制御メッセージが、複数のＵＥ（ここで、１又は複数の端末が複数のデータストリームを送信している可能性がある。）に送信されることができることは、認識されることができる。したがって、メッセージ内の残りのビットは、他のＵＥの電力制御に関連することができる。これらのデータストリームの各々の送信電力は、そのビットによる電力制御メッセージによって、制御されることができる（上記メッセージ中のそのビットの位置は、１又は複数のＵＥに源を発している様々なアップリンク・データストリームにより利用される資源にマッピングされる）。その上、上記の態様は、パーシスタント（persistent）割り当てとノン・パーシスタント（non-persistent）割り当ての両方に適用することができる。ノン・パーシスタント割り当てについて、電力制御コマンドは、アップリンク許可（grant）に組み込まれることができる。
【００６０】
本明細書で説明される実施形態は、電力制御コマンドがビットマップを通してＵＥへ伝達されることを説明したが、これが必要でないことは認識されることができる。下で更に詳述されるように、それぞれのＵＥのための電力制御メッセージの位置がそれらによりそれらのアップリンク通信のために用いられる資源にマッピングされた電力制御通信の他の形が可能である。上記で説明された態様に従って、ビットマップは複数のＵＥへ電力制御コマンドを送信するのに用いられることができるが、個別にこれらのコマンドを送信するより効率的な手段が探索されることができる。ビットマップは、個々の電力制御コマンドを単一のＵＥに別々に伝達することができるが、それは予め定められた数のビットで静的に構成されるので、それによって影響を及ぼされているＵＥの数に関係なく、それは資源の同一の量を利用する。特に他のＵＥがそれらの送信電力のいかなる調整も要求しない場合には、そのような静的なプロセスは、資源を浪費する傾向がある。
【００６１】
ビットマップの使用から生じている不利は、電力制御される必要がある資源ブロックをインデックス付け（indexing）する、より動的な方法により、克服されることができる。そのようなプロセスはまた、インデックス付けのために資源を消費する。例えば、１６個のＵＥに関連する情報は、４ビットを使ってインデックス付けされることができる。したがって、各々のＵＥのために、合計６ビットが求められる。ここで、４ビットはインデックス付けのために使用され、一方、２ビットは電力制御コマンドのために使用される。そのような方法は、２ビットの電力制御情報を伝達するために６ビットを要求するので、それは、より効率的でない可能性があり、あるいは、３−４倍少ないインデックス付けされたチャネルが多重化される可能性がある。同様に、電力制御コマンドが単一のビット内で伝達される場合には、５−７倍少ないインデックス付けされたチャネルが多重化される可能性がある。しかし、ビットマップを通した電力制御情報の通信はより静的であるがゆえに、それは統計的な多重化を可能にするので、それはＵＥの一部に電力制御コマンドを送信する柔軟性を提供する。より詳細な態様において、ＵＥは、それらのＣＱＩ（チャネル品質表示）又は無線状態に基づく様々なグループに分割されることができる。個々の資源ブロックのインデクシングに加えて、他の態様は、資源ブロックの割り当てのインデクシングに関係する。上記で述べられたノン・パーシスタント割り当てについて、そのようなインデクシングは、アップリンク許可（grant）に含まれることができる。
【００６２】
したがって、図６は、アップリンク資源がインデックス付けされた電力制御ビットを送信する他の態様に関係する。グループ電力制御コマンド６００の概略図が説明される。ここでは、該コマンドは、それらの送信電力の調整を要求するＵＥのグループへ送信され、ＴＰＣ（送信電力制御（transmit power control））コマンドの位置は、ＵＥにより用いられるインデックス付けされたアップリンク資源にマッピングされる。例えば、ＲＲＣ（無線資源制御）に割り当てられた場合に、ＰＵＣＣＨ（物理アップリンク制御チャネル）及びパーシスタントＰＵＳＣＨ（物理アップリンク共有チャネル）資源ブロックが、インデックス付けされる。図において、ブロックの各々は、インデックス付けされたチャネル（その電力がグループ電力制御コマンドを通して調整されている）を示す。したがって、Ｎは、グループ電力制御コマンドを通して電力制御されるインデックス付けされたチャネルの総数である。グループのすべてのＵＥが、それらの電力を、それに関連するＴＰＣコマンドに従って変化させるので、この態様は、ＵＥの所定のグループのための電力制御コマンドの静的なマッピングに関係する。
【００６３】
他の態様は、アクセス端末のグループのための電力制御コマンドのより動的なマッピングに関係する。ここでは、グループ内の特定のアクセス端末の電力が制御されることができる。概略図６０２は、この態様に従って送信されるグループ電力制御コマンドを示す。上記で言及されるように、それは、インデクシングのための４−６ビットを含み、それによって、複数のＴＰＣコマンドに関する２ビットの統計的な多重化を容易にしている。図において、インデックス１は、制御されるべき資源ブロックを特定する４−６ビットのインデックスを示し、一方、ＴＰＣインデックス１は、インデックス１に関連する資源ブロックを利用している伝送のためにそのＵＥの電力を調整する電力制御コマンドを示す。したがって、Ｋは、グループ電力制御コマンド６０２によってアドレスされるインデックス付けされたチャネルの総数である。それゆえ、アップリンク通信のために使用されるパーシスタントに割り当てられた資源ブロックをインデックス付けすること及びダウンリンク電力制御コマンドをマッピングするためにそれらを使用することは、シグナリングのより動的な方法をもたらすことができる。それは、それらの無線状態に従ってＵＥをグループ分けすること及び電力調整を要求するそれらＵＥだけに、グループ電力制御コマンドを送信することを、容易にする。ＵＥが複数のインデックス付けされた資源を割り当てられる場合には、唯一のインデックス付けされた資源（例えば最も低いインデックスを持つもの）が、電力制御コマンドを解釈するためにＵＥのための電力制御メッセージにおいて示される。これは、電力オーバーヘッドにおける有意な減少をもたらすのに対して、より静的なマッピングは、セル内のすべてのＵＥに送信されるのに十分な大きさの電力にされているグループ電力制御コマンドをもたらす。
【００６４】
図７は、一つの態様に従う１又は複数のＵＥに電力制御メッセージを送信する手順７００に関係する。本手続きは、７０２で始まり、ここでは、サービング基地局は、複数のＵＥから通信を受信する。７０４で、様々な通信が、それらは最適電力で送信されたかどうか判定するために、解析される。上記で言及されるように、受信された通信のＳＮＲは、メッセージの送信電力を示す受信された通信の属性のうちの一つであり得る。様々な他の要因はまた、メッセージがＵＥによって送信される電力を示すことができる。例えば、受信された通信のＳＮＲが非常に低い場合には、メッセージが低電力で送信されたこと、及び、それを送信しているＵＥがそのアップリンク通信の電力を増加させるべきであることの結論が下されることができる。同様に、該ＵＥの位置は、メッセージの送信電力における変化を示す他の属性であり得る。該ＵＥが基地局に近接していることが検出された場合には、該ＵＥの送信電力は、電力を節約するために低減されても良い。７０６で、メッセージがすべて最適電力で送信される場合には、手続きは、最適レベルで送信されているアップリンク通信を受信することに戻り、さもなければ、非最適電力で送信されたメッセージ及びそれらを送信しているＵＥが識別される。７０８で、メッセージを送信するためにこれらのＵＥにより用いられる資源ブロックがまた識別される。上記で詳述されるように、伝送のモードに応じて、連続する又は不連続な資源ブロックが、それらのアップリンク通信のためにＵＥによって使用されることができる。７１０で、非最適電力レベルで送信しているそれらのＵＥの電力を調整する１又は複数の制御メッセージが、作成される。異なる態様に従って、単一の電力制御メッセージが、複数のＵＥについて作成されても良く、あるいは、個々のメッセージが、ＵＥの各々に作られても良い。メッセージの数にかかわらず、これらのメッセージ内の電力制御ビットの位置は、諸ＵＥによりそれらのアップリンク通信のために利用される資源にマッピングされる。メッセージは、それから、それらの送信電力をより最適のレベルに適合させるために、７１２に示されるように、ダウンリンク上でＵＥに伝えられる。この方法は、そのアップリンク通信に動的に基づいて電力制御メッセージのために資源を割り当てることを支援する。これは、より対照的に、これらの資源を割り当てる静的な方法であり、ここで、電力制御メッセージを送信するために割り当てられた資源は、ＵＥが最適な電力レベルで送信していな場合又は送信している場合のいずれでも、過少に利用されている可能性がある。
【００６５】
図８は、様々なＵＥのために電力制御メッセージを生成するより詳細な態様に関係する。方法８００は、８０２で始まり、非最適な電力レベルで送信している各々のＵＥから受信される通信を解析する。８０４で、各々のＵＥによりそのアップリンク通信のために利用される資源ブロックの数が識別される。８０６で、ステップ８０２の解析に基づいて、電力を増加又は減少させるための電力制御コマンドが、各々のＵＥについて静的にビットマップとして生成される。ここで、ビットマップ中で所定のＵＥの電力を制御するためのビットの数は、ＵＥによりそのアップリンク通信のために用いられる資源ブロックの数に依存することになる。異なる態様において、電力制御メッセージは、より動的に生成されることができる。ここで、インデックス付けされた資源は、アップリンク通信のために使用され、また、制御メッセージは、それぞれの資源のための電力制御コマンドに加えてインデクシング情報を含む。このようにして生成された電力制御コマンドは、８０８に示されるように、複数のＵＥのための共通メッセージにおいて又はＵＥのそれぞれのための個別のメッセージとして、通信される。
【００６６】
異なる態様に従って、ＵＥは、ＭＣ−ＦＤＭＡモードを採用することによって、異なる複数の周波数で複数のデータストリームを送信している場合がある。この場合、マルチキャリア・モードで送信している各々のＵＥについて非最適な電力レベルで送信されている異なる複数のデータストリームが識別される。さらに、諸ＵＥによりそのようなデータストリームのために利用される資源ブロックがまた識別される。この態様に従って、複数のデータストリームの一部は、最適電力レベルで送信されることができ、それゆえに、電力レベルの調整を必要としないことは、認識されることができる。異なる複数の伝送を解析する上で得られる結果に基づいて、適切な電力制御コマンドが、非最適電力レベルで送信されているデータストリームのために、生成される。異なる態様に従って、共通メッセージ（その中に組み込まれる電力制御コマンドを持つ）は、複数のＵＥへ送信されても良く、あるいは、各々のＵＥは、その１又は複数のデータストリームの電力を調整するためのその個々の電力制御コマンドを含む排他的なメッセージを受信しても良い。
【００６７】
図９は、本明細書で説明されるインデクシングを用いて電力制御コマンドを送信する手順９００に関連する。本方法は、９０２で始まり、ＵＥは、アップリンク通信に対して、資源を割り当てられる。これらの資源は、パーシスタント又はノン・パーシスタントに、割り当てられることができる。割り当てのタイプにかかわらず、資源は、個々にインデックス付けされることができ、あるいは、資源ブロックのグループの割り当ては、異なる態様に従ってインデックス付けされることもできる。９０４で、アップリンク通信は、９０２で説明されたようなインデックス付けされた資源を割り当てられた異なる複数のＵＥから受信される。９０６で、受信された複数の通信に関連する無線状態が推定される。例えば、上記で詳述されたように、無線状態を判定するための属性のうちの一つとして、ＳＮＲが使用されることができる。少なくとも推定された無線状態に基づいて、ＵＥは、９０８に示されるように、異なる複数のグループにグループ分けされる。例えば、それらの送信電力の少しの変化も必要としない良好な状態を持つＵＥは、一つのグループに分類され、一方、それらの電力の調整を要求するであろう他のＵＥは、他のグループに入れることができる。電力調整を要求するそのような複数のグループの間で、要求される電力調整の種類に基づいて、異なる複数のグループが形成されることができる。９１０で、そのようなグループ内で、電力調整を要求するそれらＵＥの諸グループが識別され、そして、９１２に示すように、電力制御メッセージ内のそれらの位置が、それらのアップリンク伝送のためにそれぞれの通信によって使用される資源ブロックにマッピングされるように、適切な電力制御コマンドが生成される。異なる複数の通信のために生成された電力制御メッセージは、９１４に示すように、ダウンリンク上で送信される。しかし、それら資源ブロックはインデックス付けされているので、ダウンリンク上で送信されるそれら電力制御コマンドは、電力制御コマンドを伝達しているそれらに加えて資源ブロックのインデクシングに関連する情報（又はビット）を含む。
【００６８】
従来は、資源の使用量を減らすために、最小の数のビットを送信することが勧められる。しかし、上記の態様は、そのようなシグナリングの動的な態様に関連する予期しない利益によって、より大きな数のビットを送信するために要求される大きな資源のコストを弱める。上記で言及されるように、資源ブロックにインデックス付けすることは、それらの無線状態に基づいて、複数のＵＥをグループ分けすることを容易にし、それによって、非周期的に電力制御コマンドを、電力調整を要求するそれらＵＥのためだけに送信することを可能にしている。それゆえ、最適電力レベルですでに動作しているＵＥへのいかなる通信を送信する際においても、資源は浪費されない。
【００６９】
図１０は、受信されたコマンドに基づいてＵＥにおける電力を調整する方法を詳述するフローチャート１０００である。本手続きは、１００２で始まり、ここでは、ＵＥは、割り当てられた資源の上でアップリンク通信をサービング基地局に送信する。１００４で、それは、ダウンリンクの上で基地局からの通信を受信することができる。ここで、その通信は、ＵＥにおける電力を制御することに関係することができる。１００６で、受信されたメッセージは復号化され、そして、それらがＵＥの送信電力の制御に関連する場合には、該当するコマンドが識別される。一つの態様に従って、ダウンリンク上で送信されるメッセージ中の電力制御コマンドの位置は、ＵＥによりそのアップリンク通信のために利用される資源にマッピングされる。ＵＥが異なる複数の周波数で複数のデータストリームを送信している場合には、それらのアップリンク通信のために１又は複数のデータストリームにより用いられる資源ブロックにマッピングされる方法で、データストリームのうちの１又は複数のための電力制御コマンドが送信される。１００８に示すように、これは、ＵＥが、適切な電力制御コマンドを認識し、したがって、アップリンク上でその送信電力を調整することを容易にする。
【００７０】
図１１は、様々な態様に従うデバイスの様々なコンポーネントのハイレベル・システム図を示す。デバイス１１００は、ｅＮｏｄｅ Ｂ、ＵＥ、又はそれらの組み合わせであっても良いことは、認識されるべきである。それは、本明細書で説明されるようなハードウェア、ソフトウェア及びサービスを利用している様々なエンティティーに対する通信を受信及び送信するのを容易にする通信コンポーネント１１０２を含む。通信コンポーネント１１０２は、単一のエンティティーとして示されるが、別々の送信コンポーネント及び受信コンポーネントが、通信を送信及び受信するために使用されることができる。一つの態様に従って、デバイス１１００は、ｅＮｏｄｅ Ｂとして働くことができ、また、通信コンポーネント１１０２は、１又は複数の資源リクエスト、データ伝送などに関して様々なＵＥから通信を受信する。解析コンポーネント１１０４は、エンティティーを識別するために、複数のＵＥを含む様々なエンティティーから受信される通信を解析する。一つの態様に従って、諸ＵＥから受信される通信は、それら端末によりそれらのそれぞれのアップリンク通信を送信するために用いられる資源ブロックを判定するために、解析される。さらに、解析コンポーネントはまた、通信が最適電力レベルで送信されているかどうか判定するために、通信を解析することができる。単一のエンティティーが通信の様々な態様を判定するために解析プロセスを実行することが説明されたが、二つ以上のエンティティーが異なる複数の解析手続きのために使用されることができることは、認識されることができる。解析コンポーネント１１０４は、１セット又は複数セットのプロセッサ群又はマルチコア・プロセッサ群を含むことができる。プロセッサ群は、例えばそれらの類似する無線状態に基づいて複数のＵＥをグループ分けすること又は複数のＵＥ又は他の機能に割り当てられた資源のためのインデクシング情報を生成することのような、複数の他のオペレーションを実行することができる。さらに、解析コンポーネント１１０４は、統合処理システム及び／又は分散処理システムとして実装されることができる。解析コンポーネント１１０４によって集められる情報は、更なる処理のためにメモリ１１０６／データストア１１０８に記憶されることができる。メモリ１１０６は、ランダムアクセスメモリ（ＲＡＭ）、読出し専用メモリ（ＲＯＭ）又はそれらの組合せを含むことができる。データストア１１０８は、本明細書で説明される態様に関連して使用される、情報の大容量記憶、データベース及びプログラムを提供する、ハードウェア及び／又はソフトウェアの任意の他の適当な組み合わせであることができる。制御コンポーネント１１１０は、非最適電力レベルで送信しているであろうＵＥのための制御メッセージを形成するために、それらのアップリンク通信の上でそれぞれのＵＥによって使用される資源ブロックに関する情報を利用する。上記に詳述されるように、制御コンポーネントは、複数の端末のために単一のメッセージを生成することができ、あるいは、それは、各々の端末のために個別のメッセージを生成することができる。メッセージは、通信コンポーネント１１０２によりＵＥに送信するために、���モリ１１０６又はデータストア１１０８に記憶されることができる。
【００７１】
図１２は、本明細書で説明される異なる態様に従うデバイス１２００の様々なコンポーネントを示す他のハイレベル図である。デバイス１２００は、ｅＮｏｄｅ Ｂ、ＵＥ又はそれらの組み合わせであることができる。デバイスは、様々な通信を送信するために、送信コンポーネント１２０２を含む。デバイスがＵＥとして働いている場合には、送信コンポーネント１２０２は、サービングｅＮｏｄｅ Ｂ／基地局にアップリンク上で様々な通信を送信することができる。通信は、資源リクエスト、割り当てられた資源上でのデータ伝送などを含むことができる。デバイスはまた、ｅＮｏｄｅ Ｂ、他のＵＥなどを含む様々なエンティティーから通信を受信するための受信コンポーネント１２０４を含む。資源リクエストを送信すると、受信コンポーネントは、アップリンク通信又はデータ伝送のための資源の割り当てに関係する制御メッセージを受信することができる。一つの態様に従って、受信コンポーネント１２０４は、そのアップリンク通信の属性に基づいて、ＵＥの電力を調整することに関係する制御メッセージを受信することができる。これらのメッセージは、データストア１２０６に記憶されることができる。データストア１２０８は、本明細書で説明される態様に関連して使用される、情報の大容量記憶、データベース、及びプログラムを提供する、ハードウェア及び／又はソフトウェアの任意の他の適当な組み合わせであることができる。デバイス１２００は、ランダムアクセスメモリ（ＲＡＭ）、読出し専用メモリ（ＲＯＭ）又はそれらの組み合わせを含む揮発性／不揮発性メモリ１２１０を任意に含んでも良い。これらのメッセージは、処理部１２１２により復号化され処理される。一つの態様に従って、サービング基地局／ｅＮｏｄｅ Ｂから受信される電力制御メッセージは、電力制御情報を識別するために、復号化され処理されることができる。上記で詳述されるように、これらのメッセージは、そのアップリンク通信のためにデバイス１２００によって使用される特定の資源ブロックにマッピングされたメッセージ内の位置に、電力制御ビットを持つことができる。そのような電力制御メッセージから復号化される情報は、メモリ１２１０及び／又はデータストア１２０８に記憶されることができ、また、これらのメッセージにおいて送信される適切な電力制御ビットに従ってデバイス１２００の電力を調整するために、電力制御モジュール１２０６により使用されることができる。
【００７２】
次に、開示された主題の態様を可能にすることができるシステムが図１３及び１４に関連して説明される。そのようなシステムは、機能ブロックを含むことができ、そして、該機能ブロックは、プロセッサ若しくは電子機械、ソフトウェア、又は、それらの組み合わせ（例えば、ファームウェア）により実装される機能を表す機能ブロックであることができる。
【００７３】
図１３は、本件明細書において開示される態様に従う電力制御情報の通信を可能にする例であるシステム１３００のブロック図を示す。例えば、システム１３００は、少なくも部分的に基地局の内部に存在することができる。システム１３００は、ともに動作することができる電子コンポーネントの論理グループ１３１０を含む。主題の革新技術の態様において、論理グループ１３１０は、１又は複数のＵＥからアップリンク通信を受信するための電子コンポーネント１３１５、非最適電力レベルで受信される通信を識別するために、該受信された通信を解析するための電子コンポーネント１３２５、及び、１又は複数の電力制御メッセージ（ここで、該メッセージ内の少なくとも一つの電力制御コマンドの位置は、該非最適アップリンク通信のために該少なくとも一つのＵＥにより利用される少なくとも一つの資源にマッピングされる）を、該ＵＥのうちの少なくとも一つに送信するためのしている電子コンポーネント１３３５を含む。
【００７４】
システム１３００はまた、そのような機能を実行する間に生成されるであろう、測定された又は計算されたデータに加えて、電気コンポーネント１３１５，１３２５及び１２３５に関連する機能を実行するためのインストラクションを保持するメモリ１３４０を含むことができる。メモリ１３４０の外部にあるように示されるが、電子コンポーネント１３１５，１３２５及び１３３５のうちの１又は複数は、メモリ１３４０の内部に存在することができることは、理解されるべきである。
【００７５】
図１４は、本件明細書において説明される態様に従う無線通信システム内での電力の調整を可能にする例であるシステム１４００のブロック図を示す。例えば、システム１４００は、少なくとも部分的にモバイルの内部に存在することができる。システム１４００は、ともに動作することができる電子コンポーネントの論理グループ１４１０を含む。主題の革新技術の態様において、論理グループ１４１０は、１又は複数のアップリンク通信を送信するための電子コンポーネント１４１５、ダウンリンク上で少なくとも一つの電力制御メッセージ（ここで、少なくとも一つの電力制御コマンドの位置は、該アップリンク通信において利用される少なくとも一つの資源にマッピングされる）を受信するための電子コンポーネント１４２５、及び、該少なくとも一つの電力制御コマンドに従って、該１又は複数のアップリンク通信の電力レベルを調整するための電子コンポーネント１４３５を含む。
【００７６】
システム１４００はまた、そのような機能を実行する間に生成されるであろう、測定された又は計算されたデータに加えて、電気コンポーネント１４１５，１４２５及び１４３５に関連する機能を実行するためのインストラクションを保持するメモリ１４４０を含むことができる。メモリ１４４０の外部にあるように示されるが、電子コンポーネント１４１５，１４２５及び１４３５のうちの１又は複数は、内部に存在することができることは、理解されるべきである。
【００７７】
本明細書で説明されるデータ伝送技術は、様々な手段により実装されることができる。例えば、これらの技術は、ハードウェア、ファームウェア、ソフトウェア、又は、それらの組み合わせにおいて実装されることができる。ハードウェア実装については、送信機におけるデータ送信又は受信機におけるデータ受信のために使用される処理ユニットは、１又は複数の特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明される機能を実行するようにデザインされた他の電子ユニット、又はそれらの組み合わせの中で実装されることができる。
【００７８】
ファームウェア及び／又はソフトウェア実装については、本技術は、本明細書で説明される機能を実行するモジュール（例えば、手続き、関数、その他）で実装されることができる。ファームウェア及び／又はソフトウェア・コードは、メモリに記憶されても良く、また、プロセッサにより実行されても良い。メモリは、プロセッサの内部に又はプロセッサの外部に実装されることができる。
【００７９】
開示された実施形態の先の説明は、当業者が本開示を製造又は使用できるようにするために提供される。これらの実施形態への様々な修正は、当業者には容易に明らかになるであろう。また、本明細書で定義された一般的な原理は、本開示の精神又は範囲を逸脱することなく、他の実施形態に適用されても良い。それゆえ、本開示は、本明細書に示された実施形態に制限されることを目的されているものではなく、本明細書に開示された原理又は新規な特徴に合致する最も広い範囲を与えられるべきである。
【００８０】
上で説明されたことは、様々な実施形態の例を含む。本実施形態を説明することを目的としてコンポーネント又は手順の考えられる組み合わせをすべて説明することはもちろん可能ではないが、多数のさらなる組み合わせ又は置換が可能であることを当業者は認識するであろう。したがって、詳細な説明は、添付のクレームの精神及び範囲の中に含まれるそのような変更、修正及び変形をすべて包含することを意図されている。
【００８１】
特に上記で説明されたコンポーネント、デバイス、回路、システム及び同類のものにより実行される様々な機能に関して、そのようなコンポーネントを説明するのに用いられる用語（“手段（means）”への言及を含む）は、たとえ開示された構造（それは、本明細書で説明された本実施形態の例示である（exemplary）態様）に構造的に等価でないとしても、特に明記しない限り、説明されたコンポーネント（例えば、機能的に等価なもの）の特定の機能を実行する任意のコンポーネントに対応することを意図されている。この点において、本実施形態は、様々な方法のアクト及び／又はイベントを実行するためのコンピュータ実行可能なインストラクションを持つコンピュータ読み取り可能な媒体だけでなくシステムを含むこともまた認められるべきである。
【００８２】
そのうえ、一つの特定の特徴が、いくつかの実装のうちのわずか一つに関して開示されることがあり、一方、そのような特徴が、他の実装の１又は複数の他の特徴（それは任意の与えられた又は特定のアプリケーションについて望ましい又は有利であっても良い）と組み合わされることも可能である。さらに、語句“含む（includes）”及び“含むこと（including）”並びにそれらの変化が詳細な説明又はクレームのいずれかにおいて使用される範囲内において、これらの語句は、語句“備える、含む（comprising）”と同様の方法で、包括的であることを意図されている。 
以下に、本願出願の当初の特許請求の範囲に記載された各請求項に対応する発明を付記する。 
［１］無線通信システム内で電力を制御する方法において、１又は複数のアップリンク通信を受信することと、前記通信が最適電力レベルで送信されたかどうか判定することと、非最適電力レベルで送信されたアップリンク通信について、該非最適アップリンク通信を送信している１又は複数のＵＥにより使用される１又は複数の資源を判定することと、１又は複数の電力制御メッセージ（ここで、電力を制御するための制御コマンドの位置は、前記ＵＥにより使用される前記１又は複数の資源へそれぞれマッピングされる。）を生成することと、前記１又は複数のＵＥへ前記電力制御メッセージを送信することを含む方法。 
［２］前記電力制御メッセージは、前記電力制御コマンドを伝えるビットマップを含む［１］に記載の方法。 
［３］前記電力制御コマンドは、前記ビットマップ内のビットであり、前記ビットマップ内の前記ビットの位置は、前記それぞれのＵＥにより使用される前記１又は複数の資源へマッピングされる［２］に記載の方法。 
［４］ＵＥの電力を制御するためのビットの数は、ＵＥによりそのアップリンク通信のために利用される資源の数に関連している［３］に記載の方法。 
［５］前記電力制御メッセージを送信することは、少なくとも一つの共通電力制御メッセージを複数のＵＥへ送信することを含む［１］に記載の方法。 
［６］前記電力制御メッセージを送信することは、電力制御ビットを含む個別の電力制御メッセージを、前記ＵＥのそれぞれへ送信することを含む［１］に記載の方法。 
［７］それぞれのＵＥにより利用される前記資源にインデックス付けすることを更に含む［１］に記載の方法。 
［８］前記電力制御メッセージは、前記電力制御コマンドに関連するビットに加えて前記インデックス付けされた資源に関連するビットを含む［７］に記載の方法。 
［９］前記ＵＥを、少なくともそれらの推定された無線状態に基づいてグループ分けすることを更に含む［７］に記載の方法。 
［１０］前記電力制御メッセージを送信することは、前記ＵＥグループの１又は複数に対してグループ電力制御コマンドを送信することを含む［９］に記載の方法。 
［１１］前記ＵＥの少なくとも一つは、異なる複数の周波数で複数のデータストリームを送信し、前記電力制御メッセージは、非最適電力レベルで送信されている前記データストリームにより利用される１又は複数の資源ブロックの電力を個別に調整する［１］に記載の方法。 
［１２］通信システム内で電力制御情報を伝達するための装置において、前記装置は、１又は複数のＵＥから１又は複数の通信を受信する受信機と、非最適電力レベルで送信される前記通信のうちの少なくとも一つについて、少なくとも一つの電力制御メッセージを生成するプロセッサと（ここで、前記少なくとも一つの電力制御メッセージ内の少なくとも一つの電力制御コマンドの位置は、前記少なくとも一つの非最適通信により利用される１又は複数の資源にマッピングされる。）、１又は複数のＵＥに前記少なくとも一つの電力制御メッセージを送信する送信機とを含む装置。 
［１３］１又は複数の前記電力制御コマンド又は前記資源電力に関連する情報を記憶するメモリを更に含む［１２］に記載の装置。 
［１４］前記少なくとも一つの電力制御メッセージは、前記複数のＵＥに関連する複数の電力制御コマンドを含み、前記電力制御メッセージ内の前記複数の電力制御コマンドの位置は、前記１又は複数の通信のために前記複数のＵＥにより利用される複数の資源にマッピングされる［１２］に記載の装置。 
［１５］前記送信機は、複数の電力制御メッセージを、別々に前記複数のＵＥの各々へ送信し、前記複数の電力制御メッセージは、個々の電力制御コマンドを、前記複数のＵＥの各々へ送信する［１２］に記載の装置。 
［１６］前記ＵＥのうちの少なくとも一つは、前記非最適通信を送信するために、複数の資源を利用する［１２］に記載の装置。 
［１７］前記少なくとも一つの電力制御メッセージは、複数の電力制御コマンド（その前記電力制御メッセージ内の位置が少なくとも一つのＵＥにより利用される前記複数の資源にマッピングされる。）を含む［１６］に記載の装置。 
［１８］前記ＵＥのうちの少なくとも一つは、複数の周波数で複数の通信を送信し、前記プロセッサは、少なくとも一つのＵＥから受信される前記複数の通信のうちの少なくとも一つのために、前記少なくとも一つの電力制御メッセージを生成する［１２］に記載の装置。 
［１９］前記少なくとも一つの電力制御メッセージは、前記資源に関連するインデクシング情報を含む［１２］に記載の装置。 
［２０］前記電力制御メッセージは、少なくともそれぞれの無線状態に基づいて集められる複数の前記１又は複数のＵＥのための電力制御コマンドを含む［１９］に記載の装置。 
［２１］コンピュータ読み取り可能な媒体を含むコンピュータプログラム製品において、前記コンピュータ読み取り可能な媒体は、少なくとも一つのコンピュータに、１又は複数のアップリンク通信を受信させるためのコードと、少なくとも一つのコンピュータに、前記通信が最適電力レベルで送信されたかどうか判定させるためのコードと、少なくとも一つのコンピュータに、非最適電力レベルで送信されたアップリンク通信について、該非最適アップリンク通信のために１又は複数のＵＥにより使用される１又は複数の資源を判定させるためのコードと、少なくとも一つのコンピュータに、１又は複数の電力制御メッセージ（ここで、電力を制御するための制御コマンドの位置は、前記それぞれのＵＥにより使用される前記１又は複数の資源へマッピングされる。）を生成させるためのコードと、少なくとも一つのコンピュータに、前記１又は複数のＵＥへ前記電力制御メッセージを送信させるためのコードとを含むコンピュータプログラム製品。 
［２２］前記コンピュータ読み取り可能な媒体は、少なくとも一つのコンピュータに、前記電力制御コマンドを伝えるために前記電力制御メッセージ中にビットマップを含ませるためのコードを更に含む［２１］に記載のコンピュータプログラム製品。 
［２３］前記コンピュータ読み取り可能な媒体は、少なくとも一つのコンピュータに、前記電力制御コマンドを、前記ビットマップ内のビットとして生成させるためのコードを更に含む［２２］に記載のコンピュータプログラム製品。 
［２４］前記コンピュータ読み取り可能な媒体は、少なくとも一つのコンピュータに、前記ビットマップ内の前記ビットの位置を、前記それぞれのＵＥにより使用される前記１又は複数の資源へマッピングさせるためのコードを更に含む［２３］に記載のコンピュータプログラム製品。 
［２５］前記１又は複数のＵＥのうちの少なくとも一つの電力を制御するためのビットの数は、少なくとも一つのＵＥによりそのアップリンク通信のために利用される資源の数に関連している［２４］に記載のコンピュータプログラム製品。 
［２６］前記少なくとも一つのコンピュータに前記電力制御メッセージを送信させるためのコードは、前記コンピュータに、電力制御ビットを含む個別の電力制御メッセージを前記ＵＥの各々へ送信させる［２１］に記載のコンピュータプログラム製品。 
［２７］前記コンピュータ読み取り可能な媒体は、少なくとも一つのコンピュータに、非最適電力レベルで送信されている複数のデータストリームにより使用される１又は複数の資源ブロックの電力を個別に調整するための前記電力制御メッセージを送信させるためのコードを更に含み、前記ＵＥのうちの少なくとも一つは、異なる複数の周波数で前記複数の前記データストリームを送信する［２１］に記載のコンピュータプログラム製品。 
［２８］前記電力制御メッセージを送信するためのインストラクションは、共通電力制御メッセージを複数のＵＥへ送信するためのインストラクションを更に含む［２１］に記載のコンピュータプログラム製品。 
［２９］前記コンピュータ読み取り可能な媒体は、少なくとも一つのコンピュータに、前記ＵＥにより使用される前記資源にインデックス付けさせるためのコードを更に含む［２１］に記載のコンピュータプログラム製品。 
［３０］前記コンピュータ読み取り可能な媒体は、少なくとも一つのコンピュータに、前記ＵＥを、少なくともそれぞれの無線状態に基づいて１又は複数のグループにグループ分けさせるためのコードを更に含む［２９］に記載のコンピュータプログラム製品。 
［３１］前記電力制御メッセージを送信するためのインストラクションは、前記ＵＥグループのうちの少なくとも一つに対して共通電力制御メッセージを送信するためのインストラクションを更に含み、前記共通電力制御メッセージは、前記制御コマンドに加えてインデクシング情報を含む［３０］に記載のコンピュータプログラム製品。 
［３２］電力制御情報を通信するための無線通信装置において、前記システムは、１又は複数のＵＥからアップリンク通信を受信するための手段と、非最適電力レベルで受信される通信を識別するために、前記受信された通信を解析するための手段と、前記ＵＥのうちの少なくとも一つに対して１又は複数の電力制御メッセージを送信するための手段（該メッセージ内の少なくとも一つの電力制御コマンドの位置は、前記非最適アップリンク通信のために前記少なくとも一つのＵＥにより利用される少なくとも一つの資源にマッピングされる。）とを含む無線通信装置。 
［３３］１又は複数の前記受信されたアップリンク通信又は前記受信されたアップリンク通信に関連する属性を記憶するための手段を更に含む［３２］に記載の装置。 
［３４］前記電力制御メッセージを送信するための手段は、前記電力制御コマンドを含むビットマップを送信する［３２］に記載の装置。 
［３５］前記電力制御コマンドは、前記ビットマップ内のビットであり、前記ビットマップ内の前記ビットの位置は、前記非最適アップリンク通信を送信する前記少なくとも一つのＵＥにより使用される前記少なくとも一つの資源へマッピングされる［３４］に記載の方法。 
［３６］前記少なくとも一つのＵＥの電力を制御するためのビットの数は、前記ＵＥにより前記非最適アップリンク通信のために利用される資源の数に関連している［３５］に記載の装置。 
［３７］前記ＵＥによりアップリンク通信のために利用される資源にインデックス付けするための手段を更に含む［３２］に記載の装置。 
［３８］解析するための手段は、前記ＵＥを、それに関連するそれぞれの無線状態に従って、１又は複数のグループへグループ分けする［３７］に記載の装置。 
［３９］前記送信するための手段は、共通電力制御メッセージを、前記ＵＥグループのうちの少なくとも一つに送信し、前記電力制御メッセージは、前記電力制御コマンドに加えて前記資源インデクシング情報を含む［３８］に記載の装置。 
［４０］電力制御コマンドを受信する方法において、１又は複数のアップリンク通信を送信することと、ダウンリンク上で少なくとも一つの電力制御メッセージを受信することと（少なくとも一つの電力制御コマンドの位置は、前記アップリンク通信において利用される１又は複数の資源にマッピングされる。）、少なくとも前記電力制御メッセージ内の前記コマンドの位置に基づいて、前記少なくとも一つの電力制御コマンドを識別することと、前記少なくとも一つの電力制御コマンドに従って前記１又は複数のアップリンク通信の電力レベルを調整することを含む方法。 
［４１］前記１又は複数のアップリンク通信を送信することは、複数の資源の上の異なる複数の周波数で複数のアップリンク通信を非最適電力レベルで送信することを含む［４０］に記載の方法。 
［４２］前記受信された電力制御メッセージは、複数の電力制御コマンドを含み、前記受信されたメッセージ内の電力制御コマンドの位置は、非最適アップリンク通信のために使用される複数の資源にマッピングされる［４１］に記載の方法。 
［４３］前記アップリンクのために利用される前記資源は、インデックス付けされたものである［４０］に記載の方法。 
［４４］少なくとも無線条件に基づいて、ＵＥのグループに関連付けられることを更に含む［４３］に記載の方法。 
［４５］前記電力制御メッセージを受信することは、ＵＥにより前記アップリンク通信について利用される前記資源に関連するインデクシング情報に加えて前記グループ中に電力制御コマンドを含むグループ電力制御メッセージを受信することを含む［４４］に記載の方法。 
［４６］通信システム内で送信電力レベルを調整するための装置において、前記装置は、非最適電力レベルで１又は複数のアップリンク通信を送信する送信機と、少なくとも一つの電力制御メッセージを受信する受信機と（前記少なくとも一つの電力制御メッセージ内の少なくとも一つの電力制御コマンドの位置は、前記非最適通信により利用される１又は複数の資源にマッピングされる。）、前記受信された電力制御コマンドに基づいて、前記送信機の電力レベルを制御するプロセッサとを含む装置。 
［４７］前記受信された電力制御メッセージは、ビットマップを含み、前記ビットマップ内の少なくとも１ビットは、前記電力制御コマンドとして機能し、前記ビットマップ内の前記ビットの位置は、前記非最適通信により利用される前記資源にマッピングされる［４６］に記載の方法。 
［４８］前記ビットマップ内のビットの数は、前記非最適通信により利用される複数の資源に対応する［４７］に記載の装置。 
［４９］前記資源は、パーシスタントに割り当てられる［４６］に記載の装置。 
［５０］前記複数の電力制御メッセージは、異なる複数の周波数で非最適電力レベルで送信される複数のアップリンク通信のための電力制御コマンドを運搬し、それぞれのメッセージ内の電力制御コマンドの前記位置は、前記非最適アップリンク通信により利用される複数の資源にマッピングされる［４６］に記載の装置。 
［５１］前記非最適通信により利用される前記資源は、インデックス付けされたものである［４６］に記載の装置。 
［５２］前記電力制御メッセージは、前記電力制御コマンドに加えて前記資源に関連するインデクシング情報を含む［４６］に記載の装置。 
［５３］コンピュータ読み取り可能な媒体を含むコンピュータプログラム製品において、前記コンピュータ読み取り可能な媒体は、少なくとも一つのコンピュータに、１又は複数のアップリンク通信を送信させるためのコードと、少なくとも一つのコンピュータに、ダウンリンク上で少なくとも一つの電力制御メッセージを受信させるためのコードと（少なくとも一つの電力制御コマンドの位置は、前記アップリンク通信において利用される少なくとも一つの資源にマッピングされる。）、少なくとも一つのコンピュータに、前記少なくとも一つの電力制御コマンドに従って前記１又は複数のアップリンク通信の電力レベルを調整させるためのコードとを含むコンピュータプログラム製品。 
［５４］少なくとも一つのコンピュータに１又は複数のアップリンク通信を送信させるためのコードは、前記少なくとも一つのコンピュータに、複数の資源の上の異なる複数の周波数で複数のアップリンク通信を送信させるためのコードを更に含む［５３］に記載のコンピュータプログラム製品。 
［５５］前記受信された電力制御メッセージは、複数の電力制御コマンドを含み、前記受信されたメッセージ内の前記電力制御コマンドの位置は、前記アップリンク通信のために使用される前記複数の資源にマッピングされる［５４］に記載のコンピュータプログラム製品。 
［５６］前記アップリンクのために利用される前記資源は、インデックス付けされたものである［５３］に記載のコンピュータプログラム製品。 
［５７］前記コンピュータ読み取り可能な媒体は、少なくとも一つのコンピュータに、少なくとも無線状態に基づいて、ＵＥのグループと関連付けさせるためのコードを更に含む［５３］に記載のコンピュータプログラム製品。 
［５８］前記受信された電力制御メッセージは、前記グループにおける電力制御コマンド及び前記ＵＥにより前記アップリンク通信について利用される前記資源に関連するインデクシング情報を含むグループ電力制御メッセージである［５７］に記載のコンピュータプログラム製品。 
［５９］無線通信システム内で電力を調整するための装置において、前記装置は、１又は複数のアップリンク通信を送信するための手段と、ダウンリンク上で少なくとも一つの電力制御メッセージ（少なくとも一つの電力制御コマンドの位置は、前記アップリンク通信において利用される少なくとも一つの資源にマッピングされる。）を受信するための手段と、前記少なくとも一つの電力制御コマンドに従って前記１又は複数のアップリンク通信の電力レベルを調整するための手段とを含む装置。 
［６０］前記アップリンク通信において利用される前記資源は、インデックス付けされたものであり、前記電力制御メッセージは、前記電力制御コマンドとともにインデクシング情報を含む［５９］に記載の装置。
【図１】
0005628267.tif 000002
【図２】
0005628267.tif 000003
【図３】
0005628267.tif 000004
【図４】
0005628267.tif 000005
【図５Ａ】
0005628267.tif 000006
【図５Ｂ】
0005628267.tif 000007
【図５Ｃ】
0005628267.tif 000008
【図５Ｄ】
0005628267.tif 000009
【図６】
0005628267.tif 000010
【図７】
0005628267.tif 000011
【図８】
0005628267.tif 000012
【図９】
0005628267.tif 000013
【図１０】
0005628267.tif 000014
【図１１】
0005628267.tif 000015
【図１２】
0005628267.tif 000016
【図１３】
0005628267.tif 000017
【図１４】
0005628267.tif 000018